(57)【要約】  方法、システム及び装置が開示される。１つ以上の実施形態において、遠隔干渉識別のためのネットワークノードが提供される。ネットワークノードは、少なくとも１つのＲＳシーケンス及び少なくとも１つの時間機会に少なくとも部分的に基づいて、少なくとも１つのＲＳの送信を生じさせる様に構成された処理回路を含む。ネットワークノードの識別子は、少なくとも１つのＲＳシーケンス及び少なくとも１つの時間機会にマッピングされている。
2022501937.tif 000002
【特許請求の範囲】
【請求項１】
遠隔干渉識別のためのネットワークノード（１６ａ）であって、
少なくとも１つの参照信号（ＲＳ）シーケンス及び少なくとも１つの時間機会に少なくとも部分的に基づいて、少なくとも１つのＲＳの送信を生じさせる様に構成された処理回路（３８）を備え、
前記ネットワークノード（１６ａ）の識別子は、前記少なくとも１つのＲＳシーケンス及び前記少なくとも１つの時間機会にマッピングされている、ネットワークノード。
【請求項２】
請求項１に記載のネットワークノード（１６ａ）であって、
前記ネットワークノード（１６ａ）は、別のネットワークノード（１６ｂ）のダウンリンク送信から干渉を受ける被害ネットワークノード（１６ａ）である、ネットワークノード。
【請求項３】
請求項１又は２に記載のネットワークノード（１６ａ）であって、
前記識別子は、前記少なくとも１つのＲＳシーケンス及び前記少なくとも１つの時間機会から識別可能である、ネットワークノード。
【請求項４】
請求項１から３のいずれか１項に記載のネットワークノード（１６ａ）であって、
前記処理回路（３８）は、別のネットワークノード（１６ｂ）からの遠隔干渉を検出する様にさらに構成され、前記少なくとも１つの参照信号の送信は、前記検出された遠隔干渉の応答である、ネットワークノード。
【請求項５】
請求項４に記載のネットワークノード（１６ａ）であって、
前記処理回路（３８）は、前記少なくとも１つのＲＳの送信後、
遠隔干渉が依然検出されているかを判定し、
遠隔干渉が依然検出されていると判定した場合、前記少なくとも１つのＲＳの少なくとも１つの追加の送信を生じさせ、
遠隔干渉が検出されていないと判定した場合、前記少なくとも１つのＲＳの送信を停止させる様にさらに構成されている、ネットワークノード。
【請求項６】
請求項１から５のいずれか１項に記載のネットワークノード（１６ａ）であって、
前記少なくとも１つの時間機会は、
前記少なくとも１つのＲＳが送信される無線フレームペアと、
前記少なくとも１つのＲＳの少なくとも１つのための前記無線フレームペア内の異なる時間機会と、
の内の少なくとも１つに対応する、ネットワークノード。
【請求項７】
請求項１から６のいずれか１項に記載のネットワークノード（１６ａ）であって、
前記時間機会は、
ダウンリンク送信とアップリンク送信との切り替えがある少なくとも１つのスロットと、
スロット内の固定時間位置と、
の内の少なくとも１つに対応する、ネットワークノード。
【請求項８】
請求項１から７のいずれか１項に記載のネットワークノード（１６ａ）であって、
前記少なくとも１つのＲＳシーケンスは、複数のＲＳシーケンスを含み、
前記少なくとも１つの時間機会は、複数の時間機会を含む、ネットワークノード。
【請求項９】
請求項８に記載のネットワークノード（１６ａ）であって、
前記ネットワークノード（１６ａ）の前記識別子は、複数のビットによって識別され、
前記複数のビットの内の少なくとも第１ビットは、前記複数のＲＳシーケンスの内の第１ＲＳシーケンスと、前記複数の時間機会の内の第１時間機会と、に対応し、
前記複数のビットの内の少なくとも第２ビットは、前記複数のＲＳシーケンスの内の第２ＲＳシーケンスと、前記複数の時間機会の内の第２時間機会と、に対応する、ネットワークノード。
【請求項１０】
請求項１から７のいずれか１項に記載のネットワークノード（１６ａ）であって、
前記少なくとも１つのＲＳシーケンスは、同じＲＳシーケンスであり、前記少なくとも１つの時間機会は、複数の時間機会を含む、ネットワークノード。
【請求項１１】
第１ネットワークノード（１６ｂ）であって、
少なくとも１つの時間機会の間に、遠隔干渉識別のための少なくとも１つの参照信号（ＲＳ）シーケンスを含む少なくとも１つのＲＳを受信し、
第２ネットワークノード（１６ａ）の識別子を、前記少なくとも１つのＲＳシーケンス及び前記少なくとも１つの時間機会に少なくとも部分的に基づいて判定する様に構成された処理回路（３８）を備え、
前記第２ネットワークノード（１６ａ）の前記識別子は、前記少なくとも１つのＲＳシーケンス及び前記少なくとも１つの時間機会にマッピングされている、第１ネットワークノード。
【請求項１２】
請求項１１に記載の第１ネットワークノード（１６ｂ）であって、
前記処理回路（３８）は、前記第２ネットワークノード（１６ａ）の判定した前記識別子に少なくとも部分的に基づいて、少なくとも１つの遠隔干渉緩和アクションを実行する様にさらに構成されている、第１ネットワークノード。
【請求項１３】
請求項１２に記載の第１ネットワークノード（１６ｂ）であって、
前記処理回路（３８）は、前記少なくとも１つの遠隔干渉緩和アクションの実行後、
前記少なくとも１つのＲＳ信号が検出されたかを判定し、
前記少なくとも１つのＲＳ信号が検出されていないと判定した場合、前記遠隔干渉緩和アクションを変更する様にさらに構成されている、第１ネットワークノード。
【請求項１４】
請求項１１から１３のいずれか１項に記載の第１ネットワークノード（１６ｂ）であって、
前記第１ネットワークノード（１６ｂ）は、前記第２ネットワークノード（１６ａ）での干渉の原因である攻撃ネットワークノード（１６ｂ）である、第１ネットワークノード。
【請求項１５】
請求項１１から１４のいずれか１項に記載の第１ネットワークノード（１６ｂ）であって、
前記識別子は、前記少なくとも１つのＲＳシーケンス及び前記少なくとも１つの時間機会から識別可能である、第１ネットワークノード。
【請求項１６】
請求項１１から１５のいずれか１項に記載の第１ネットワークノード（１６ｂ）であって、
前記少なくとも１つの時間機会は、
前記少なくとも１つのＲＳが送信される無線フレームペアと、
前記少なくとも１つのＲＳの少なくとも１つのための前記無線フレームペア内の異なる時間機会と、
の内の少なくとも１つに対応する、第１ネットワークノード。
【請求項１７】
請求項１１から１６のいずれか１項に記載の第１ネットワークノード（１６ｂ）であって、
前記時間機会は、
ダウンリンク送信とアップリンク送信との切り替えがある少なくとも１つのスロットと、
スロット内の固定時間位置と、
の内の少なくとも１つに対応する、第１ネットワークノード。
【請求項１８】
請求項１１から１７のいずれか１項に記載の第１ネットワークノード（１６ｂ）であって、
前記少なくとも１つのＲＳシーケンスは、複数のＲＳシーケンスを含み、
前記少なくとも１つの時間機会は、複数の時間機会を含む、第１ネットワークノード。
【請求項１９】
請求項１８に記載の第１ネットワークノード（１６ｂ）であって、
前記第２ネットワークノード（１６ａ）の前記識別子は、複数のビットによって識別され、
前記複数のビットの内の少なくとも第１ビットは、前記複数のＲＳシーケンスの内の第１ＲＳシーケンスと、前記複数の時間機会の内の第１時間機会と、に対応し、
前記複数のビットの内の少なくとも第２ビットは、前記複数のＲＳシーケンスの内の第２ＲＳシーケンスと、前記複数の時間機会の内の第２時間機会と、に対応する、第１ネットワークノード。
【請求項２０】
請求項１１から１７のいずれか１項に記載の第１ネットワークノード（１６ｂ）であって、
前記少なくとも１つのＲＳシーケンスは、同じＲＳシーケンスであり、
前記少なくとも１つの時間機会は、複数の時間機会を含む、第１ネットワークノード。
【請求項２１】
遠隔干渉識別のためにネットワークノード（１６ａ）で実行される方法であって、
少なくとも１つの参照信号（ＲＳ）シーケンス及び少なくとも１つの時間機会に少なくとも部分的に基づいて、少なくとも１つのＲＳの送信を生じさせる（Ｓ１１０）ことを含み、
前記ネットワークノード（１６ａ）の識別子は、前記少なくとも１つのＲＳシーケンス及び前記少なくとも１つの時間機会にマッピングされている、方法。
【請求項２２】
請求項２１に記載の方法であって、
前記ネットワークノード（１６ａ）は、別のネットワークノード（１６ｂ）のダウンリンク送信から干渉を受ける被害ネットワークノード（１６ａ）である、方法。
【請求項２３】
請求項２１又は２２に記載の方法であって、
前記識別子は、前記少なくとも１つのＲＳシーケンス及び前記少なくとも１つの時間機会から識別可能である、方法。
【請求項２４】
請求項２１から２３のいずれか１項に記載の方法であって、別のネットワークノード（１６ｂ）からの遠隔干渉を検出することをさらに含み、前記少なくとも１つの参照信号の送信は、前記検出された遠隔干渉の応答である、方法。
【請求項２５】
請求項２４に記載の方法であって、
前記少なくとも１つのＲＳの送信後、
遠隔干渉が依然検出されているかを判定することと、
遠隔干渉が依然検出されていると判定した場合、前記少なくとも１つのＲＳの少なくとも１つの追加送信を生じさせることと、
遠隔干渉が検出されていないと判定した場合、前記少なくとも１つのＲＳの送信を停止させることと、
をさらに含む方法。
【請求項２６】
請求項２１から２５のいずれか１項に記載の方法であって、
前記少なくとも１つの時間機会は、
前記少なくとも１つのＲＳが送信される無線フレームペアと、
前記少なくとも１つのＲＳの少なくとも１つのための前記無線フレームペア内の異なる時間機会と、
の内の少なくとも１つに対応する、方法。
【請求項２７】
請求項２１から２６のいずれか１項に記載の方法であって、
前記時間機会は、
ダウンリンク送信とアップリンク送信との切り替えがある少なくとも１つのスロットと、
スロット内の固定時間位置と、
の内の少なくとも１つに対応する、方法。
【請求項２８】
請求項２１から２７のいずれか１項に記載の方法であって、
前記少なくとも１つのＲＳシーケンスは、複数のＲＳシーケンスを含み、
前記少なくとも１つの時間機会は、複数の時間機会を含む、方法。
【請求項２９】
請求項２８に記載の方法であって、
前記ネットワークノード（１６ａ）の前記識別子は、複数のビットによって識別され、
前記複数のビットの内の少なくとも第１ビットは、前記複数のＲＳシーケンスの内の第１ＲＳシーケンスと、前記複数の時間機会の内の第１時間機会と、に対応し、
前記複数のビットの内の少なくとも第２ビットは、前記複数のＲＳシーケンスの内の第２ＲＳシーケンスと、前記複数の時間機会の内の第２時間機会と、に対応する、方法。
【請求項３０】
請求項２１から２７のいずれか１項に記載の方法であって、
前記少なくとも１つのＲＳシーケンスは、同じＲＳシーケンスであり、
前記少なくとも１つの時間機会は、複数の時間機会を含む、方法。
【請求項３１】
第１ネットワークノード（１６ｂ）によって実行される方法であって、
少なくとも１つの時間機会の間に、遠隔干渉識別のための少なくとも１つの参照信号（ＲＳ）シーケンスを含む少なくとも１つのＲＳを受信（Ｓ１１８）することと、
第２ネットワークノード（１６ａ）の識別子を、前記少なくとも１つのＲＳシーケンス及び前記少なくとも１つの時間機会に少なくとも部分的に基づいて判定（Ｓ２１０）することと、
を含み、
前記第２ネットワークノード（１６ａ）の前記識別子は、前記少なくとも１つのＲＳシーケンス及び前記少なくとも１つの時間機会にマッピングされている、方法。
【請求項３２】
請求項３１に記載の方法であって、
前記第２ネットワークノード（１６ａ）の判定した前記識別子に少なくとも部分的に基づいて、少なくとも１つの遠隔干渉緩和アクションを実行することをさらに含む、方法。
【請求項３３】
請求項３２に記載の方法であって、
前記少なくとも１つの遠隔干渉緩和アクションの実行後、
前記少なくとも１つのＲＳ信号が検出されたかを判定することと、
前記少なくとも１つのＲＳ信号が検出されていないと判定された場合、前記遠隔干渉緩和アクションを変更することと、
をさらに含む方法。
【請求項３４】
請求項３１から３３のいずれか１項に記載の方法であって、
前記第１ネットワークノード（１６ｂ）は、前記第２ネットワークノード（１６ａ）での干渉の原因である攻撃ネットワークノード（１６ｂ）である、方法。
【請求項３５】
請求項３１から３４のいずれか１項に記載の方法であって、
前記識別子は、前記少なくとも１つのＲＳシーケンス及び前記少なくとも１つの時間機会から識別可能である、方法。
【請求項３６】
請求項３１から３５のいずれか１項に記載の方法であって、
前記少なくとも１つの時間機会は、
前記少なくとも１つのＲＳが送信される無線フレームペアと、
前記少なくとも１つのＲＳの少なくとも１つのための前記無線フレームペア内の異なる時間機会と、
の内の少なくとも１つに対応する、方法。
【請求項３７】
請求項３１から３６のいずれか１項に記載の方法であって、
前記時間機会は、
ダウンリンク送信とアップリンク送信との切り替えがある少なくとも１つのスロットと、
スロット内の固定時間位置と、
の内の少なくとも１つに対応する、方法。
【請求項３８】
請求項３１から３７のいずれか１項に記載の方法であって、
前記少なくとも１つのＲＳシーケンスは、複数のＲＳシーケンスを含み、
前記少なくとも１つの時間機会は、複数の時間機会を含む、方法。
【請求項３９】
請求項３８に記載の方法であって、
前記ネットワークノード（１６ａ）の前記識別子は、複数のビットによって識別され、
前記複数のビットの内の少なくとも第１ビットは、前記複数のＲＳシーケンスの内の第１ＲＳシーケンスと、前記複数の時間機会の内の第１時間機会と、に対応し、
前記複数のビットの内の少なくとも第２ビットは、前記複数のＲＳシーケンスの内の第２ＲＳシーケンスと、前記複数の時間機会の内の第２時間機会と、に対応する、方法。
【請求項４０】
請求項３１から３７のいずれか１項に記載の方法であって、
前記少なくとも１つのＲＳシーケンスは、同じＲＳシーケンスであり、
前記少なくとも１つの時間機会は、複数の時間機会を含む、方法。
【発明の詳細な説明】
【技術分野】
【０００１】
本開示は、無線通信、特に、遠隔干渉識別及び当該識別に基づく干渉緩和に関する。
【背景技術】
【０００２】
ＮＲフレーム構造
次世代のモバイル無線通信システム（５Ｇ）又はニューレディオ（ＮＲ）は、様々なユースケースセット及び様々な配置シナリオセットをサポートする。後者は、既存のロングタームエボリューション（ＬＴＥ）と同様の低周波数（数１００メガヘルツ）と、非常に高い周波数（数１０ＧＨｚのミリ波）の両方の配置を含む。
【０００３】
ＬＴＥと同様に、ＮＲは、ダウンリンクで（すなわち、ｇＮＢ、ｅＮＢ又は基地局の様なネットワークノードからユーザ装置（ＵＥ）等の無線デバイス（ＷＤ）へ）ＯＦＤＭ（直交周波数分割多重）を使用する。アンテナポート上の基本的なＮＲ物理リソースは、図１に示す様な時間−周波数グリッドと見做すことができ、ここでは、１４シンボルスロットのリソースブロック（ＲＢ）を示している。リソースブロックは、周波数領域において１２個の連続するサブキャリアに対応する。周波数領域において、リソースブロックにはシステム帯域幅の一端から０で開始する番号が振られる。各リソース要素は、１つのＯＦＤＭシンボル期間中の１つのＯＦＤＭサブキャリアに対応する。
【０００４】
ＮＲでは、様々なサブキャリア間隔（ＳＣＳ）値がサポートされる。サポートされるサブキャリア間隔値（異なるヌメロロジーとも呼ばれる）は、Δｆ＝（１５×２α）ｋＨｚで与えられ、ここで、α∈（０，１，２，３，４）である。Δｆ＝１５ｋＨｚは、ＬＴＥでも使用される基本（又は参照）サブキャリア間隔である。
【０００５】
時間領域において、ＮＲでのダウンリンク（ネットワークノードから無線デバイスへ）及びアップリンク（無線デバイスからネットワークノードへ）の送信は、ＬＴＥと同様に、それぞれが１ｍｓの同じサイズのサブフレームに編成され得る。サブフレームは、同じ期間の１つ以上のスロットにさらに分割される。サブキャリア間隔Δｆ＝（１５×２α）ｋＨｚのスロット長は、１／２αｍｓである。Δｆ＝１５ｋＨｚでは、サブフレーム毎に１つのスロットのみが存在し、スロットは１４個のＯＦＤＭシンボルを含む。
【０００６】
ダウンリンク送信は動的にスケジュールされる、つまり、各スロットにおいて、ネットワークノード（例えば、ｇＮＢ）は、どのＷＤデータが送信され、現在のダウンリンクスロットのどのリソースブロックでデータが送信されるかについてのダウンリンク制御情報（ＤＣＩ）を送信する。この制御情報は、通常、ＮＲの各スロットの最初の１つ又は２つのＯＦＤＭシンボルで送信される。制御情報は物理ダウンリンク制御チャネル（ＰＤＣＣＨ）で搬送され、データは物理ダウンリンク共有チャネル（ＰＤＳＣＨ）で搬送される。ＷＤは、最初にＰＤＣＣＨを検出及び復号し、ＰＤＣＣＨを正常に復号すると、ＷＤは、ＰＤＣＣＨの復号された制御情報に基づいて対応するＰＤＳＣＨを復号する。
【０００７】
ＰＤＣＣＨ及びＰＤＳＣＨに加えて、ダウンリンクで送信される他のチャネルと参照信号が存在する。
【０００８】
物理アップリンク共有チャネル（ＰＵＳＣＨ）で搬送されるアップリンクデータ送信も、ＤＣＩを送信することにより、ネットワークノード（ｇＮＢ等）によって動的にスケジュールされる。ＴＤＤ動作の場合、ダウンリンク制御情報（ＤＣＩ）（ダウンリンク（ＤＬ）領域で送信される）は、常に、スケジューリングオフセットを示し、その結果、ＰＵＳＣＨは、アップリンク（ＵＬ）領域のスロットで送信される。
【０００９】
ＴＤＤネットワークの干渉保護
無線セルラネットワークはセルで構成され、各セルは無線基地局（ＢＳ）等のネットワークノードの特定のカバレッジエリアによって定義される。ネットワークノードは、ネットワーク内の端末／ユーザ装置（ＵＥ）等のＷＤと無線で通信する。通信は、ペア又は非ペアのスペクトラム内で実行される。ペアスペクトラムの場合、ＤＬ方向とＵＬ方向は周波数で分離され、周波数分割複信（ＦＤＤ）と呼ばれる。非ペアスペクトラムの場合、ＤＬとＵＬは、同じ周波数スペクトラムを使用し、時分割複信（ＴＤＤ）と呼ばれる。名前が暗示する様に、ＤＬ及びＵＬは、典型的には、それらの間のガード期間（ＧＰ）を使用して、時間領域で分割される。ガード期間には、幾つかの目的がある。最も本質的には、ネットワークノードとＷＤの処理回路は、送信と受信を切り替えるのに十分な時間を必要とするが、これは通常、高速な手順であり、ＧＰサイズの要件に大きく影響しない。さらに、ＧＰは、ＵＬをスケジュールする（時間遅延された）ＤＬ許可をＷＤが受信し、ネットワークノードがフレームのＵＬ領域でＵＬ信号を受信する様に、適切なタイミングアドバンス（伝搬遅延を補正）でＵＬ信号を送信することを可能にするために十分に大きくなければならない。したがって、ＧＰはセルエッジのＷＤへの伝搬時間の２倍より大きくする必要があり、そうしないと、セル内のＵＬ信号とＤＬ信号が干渉する。このため、ＧＰは、通常、セルサイズに応じて選択され、セルが大きいほど（つまり、サイト間の距離が大きいほど）ＧＰが大きくなり、その逆も同様である。
【００１０】
さらに、ガード期間は、第１ネットワークノードのＤＬ送信が第２ネットワークノードのＵＬ受信に入ることなく、セル間の特定の伝搬遅延を許可することにより、ネットワークノード間のＤＬからＵＬへの干渉を減らすために使用される。一般的なマクロネットワークにおいて、ＤＬ送信電力はＵＬ送信電力よりも２０ｄＢ程度大きくなり得る。したがって、あるセルのＵＬが他のセルのＤＬによって干渉を受けると、ＵＬのパフォーマンスが大幅に低下する可能性があり、クロスリンク干渉と呼ばれる。ＵＬとＤＬとの間の送信電力の不一致が大きいため、クロスリンク干渉は、同一チャネルの場合（ＤＬが同じキャリアのＵＬに干渉）だけでなく、隣接チャネルの場合（あるキャリアのＤＬが隣接キャリアのＵＬに干渉）でもシステムパフォーマンスに悪影響を与え得る。このため、ＴＤＤマクロネットワークは、通常、シンボルタイミングが調整され、ネットワーク（ＮＷ）内の総てのセルで同じである半静的ＴＤＤ  ＵＬ／ＤＬパターンが使用される同期方式で動作される。通常、隣接するＴＤＤキャリアを持つオペレータは、隣接チャネルのクロスリンク干渉を回避するために、それらのＴＤＤ  ＵＬ／ＤＬパターンも同期する。
【００１１】
ネットワークノード間のＤＬからＵＬへの干渉を回避するためにＧＰを適用する原理を図２に示し、ここでは、被害ネットワークノード１（Ｖ）が攻撃ネットワークノード２（Ａ）による（少なくとも潜在的に）干渉を受けている。攻撃ネットワークノードは、そのセル内のＷＤ３にＤＬ信号を送信し、ＤＬ信号は、被害ネットワークノード１にも到達する（伝搬損失は、Ａの信号から保護するのに十分ではない。）。ＤＬ信号は距離（ｄ）を伝搬し、伝搬遅延のために、Ｖが経験するＡのフレーム構造アラインメントは、伝搬距離ｄに比例してτ秒だけシフト／遅延する。図２からわかる様に、攻撃ネットワークノード２（Ａ）のＤＬ部分は遅延しているものの、ガード期間が使用されているため、被害ネットワークノード１（Ｖ）のＵＬ領域には入らない。この例では、システム設計によって干渉を回避できている。
【００１２】
ここでは、被害と攻撃という用語は、典型的なＴＤＤシステムがその様に設計されている理由を説明するためにのみ使用されていることに留意すべきである。ネットワークノード間にはチャネルの相互関係が存在するため、被害側は攻撃側として動作することもでき、その逆も可能である。
【００１３】
ＴＤＤのアップリンク−ダウンリンク構成
ＴＤＤでは、一部のサブフレーム／スロットがアップリンク送信に割り当てられ、一部のサブフレーム／スロットがダウンリンク送信に割り当てられる。ダウンリンクとアップリンクの切り替え（スイッチ）は、所謂、特別サブフレーム（ＬＴＥ）又はフレキシブルスロット（ＮＲ）で行われる。
【００１４】
ＬＴＥでは、表１に示す様に、７つの異なるアップリンク−ダウンリンク構成が提供されている。
【００１５】
【表１】
2022501937.tif 000003
【００１６】
ガード期間のサイズ（及び、特別サブフレームのＤｗＰＴＳ（特別サブフレームでのダウンリンク送信）及びＵｐＰＴＳ（特別サブフレームでのアップリンク送信）のシンボル数）も、可能な選択セットから構成され得る。
【００１７】
一方、ＮＲでは、多くの異なるアップリンク−ダウンリンク構成が提供される。サブキャリア間隔に応じて、無線フレーム毎に１０〜３２０のスロットがある（各無線フレームは１０ｍｓの期間を有する。）。スロット内のＯＦＤＭシンボルは、"ダウンリンク"（"Ｄ"と表示）、"フレキシブル"（"Ｘ"と表示）、又は、"アップリンク"（"Ｕ"と表示）に分類される。半静的ＴＤＤ  ＵＬ−ＤＬ構成は、ＴＤＤ構成が情報要素（ＩＥ）ＴＤＤ−ＵＬ−ＤＬ−ＣｏｎｆｉｇＣｏｍｍｏｎを使用して構成された無線リソース制御（ＲＲＣ）である場合に使用され得る。
【００１８】
ＴＤＤ−ＵＬ−ＤＬ−ＣｏｎｆｉｇＣｏｍｍｏｎ：：＝ＳＥＱＵＥＮＣＥ｛
--ＵＬ−ＤＬパターンの時間領域境界を決定するために使用される参照ＳＣＳであり、総てのサブキャリア固有で共通でなければならない。
--仮想キャリア、つまり、データ送信に使用する実際のサブキャリア間隔とは無関係。
--１５又は３０ｋＨｚ（＜６ＧＨｚ）、６０又は１２０ｋＨｚ（＞６ＧＨｚ）の値のみが適用可能。
--Ｌ１パラメータ'ｒｅｆｅｒｅｎｃｅ−ＳＣＳ'に対応（３８．２１１、セクションＦＦＳ＿Ｓｅｃｔｉｏｎを参照）。
ｒｅｆｅｒｅｎｃｅＳｕｂｃａｒｒｉｅｒＳｐａｃｉｎｇ  ＳｕｂｃａｒｒｉｅｒＳｐａｃｉｎｇ
ＯＰＴＩＯＮＡＬ，
--ＤＬ−ＵＬパターンの周期性。Ｌ１パラメータ'ＤＬ−ＵＬ−ｔｒａｎｓｍｉｓｓｉｏｎ−ｐｅｒｉｏｄｉｃｉｔｙ'に対応（３８．２１１、セクションＦＦＳ＿Ｓｅｃｔｉｏｎを参照）
ｄｌ−ＵＬ−ＴｒａｎｓｍｉｓｓｉｏｎＰｅｒｉｏｄｉｃｉｔｙ  ＥＮＵＭＥＲＡＴＥＤ｛ｍｓ０ｐ５，ｍｓ０ｐ６２５，ｍｓ１，ｍｓ１ｐ２５，ｍｓ２，ｍｓ２ｐ５，ｍｓ５，ｍｓ１０｝                                              ＯＰＴＩＯＮＡＬ，
--各ＤＬ−ＵＬパターンの開始時の連続するフルＤＬスロット数。
--Ｌ１パラメータ'ｎｕｍｂｅｒ−ｏｆ−ＤＬ−ｓｌｏｔｓ'に対応（３８．２１１、表４．３．２−１を参照）
ｎｒｏｆＤｏｗｎｌｉｎｋＳｌｏｔｓ  ＩＮＴＥＧＥＲ（０．．ｍａｘＮｒｏｆＳｌｏｔｓ）
ＯＰＴＩＯＮＡＬ，
--最後のフルＤＬスロットに続くスロットの先頭にある連続するＤＬシンボルの数（ｎｒｏｆＤｏｗｎｌｉｎｋＳｌｏｔｓから導出）。
--フィールドが存在しない、又は、解放されている場合、部分的なダウンリンクスロットはない。
--Ｌ１パラメータ'ｎｕｍｂｅｒ−ｏｆ−ＤＬ−ｓｙｍｂｏｌｓ−ｃｏｍｍｏｎ'に対応（３８．２１１、セクションＦＦＳ＿Ｓｅｃｔｉｏｎを参照）
ｎｒｏｆＤｏｗｎｌｉｎｋＳｙｍｂｏｌｓ  ＩＮＴＥＧＥＲ（０．．ｍａｘＮｒｏｆＳｙｍｂｏｌｓ−１）
ＯＰＴＩＯＮＡＬ， −−ＮｅｅｄＲ
--各ＤＬ−ＵＬパターンの終了時の連続するフルＵＬスロット数。
--Ｌ１パラメータ'ｎｕｍｂｅｒ−ｏｆ−ＵＬ−ｓｌｏｔｓ'に対応（３８．２１１、表４．３．２−１を参照）
ｎｒｏｆＤｏｗｎｌｉｎｋＳｌｏｔｓ  ＩＮＴＥＧＥＲ（０．．ｍａｘＮｒｏｆＳｌｏｔｓ）
ＯＰＴＩＯＮＡＬ，
--最初のフルＵＬスロットの前のスロットの終わりにある連続するＵＬシンボルの数（ｎｒｏｆＵｐｌｉｎｋＳｌｏｔｓから導出）。
--フィールドが存在しない、又は、解放されている場合、部分的なアップリンクスロットはない。
--Ｌ１パラメータ'ｎｕｍｂｅｒ−ｏｆ−ＵＬ−ｓｙｍｂｏｌｓ−ｃｏｍｍｏｎ'に対応（３８．２１１、セクションＦＦＳ＿Ｓｅｃｔｉｏｎを参照）
ｎｒｏｆＤｏｗｎｌｉｎｋＳｙｍｂｏｌｓ  ＩＮＴＥＧＥＲ（０．．ｍａｘＮｒｏｆＳｙｍｂｏｌｓ−１）
ＯＰＴＩＯＮＡＬ， −−ＮｅｅｄＲ
【００１９】
つまり、ＰｍｓのＴＤＤ周期性が定義され、このＴＤＤ周期性に適合するＤＬスロットとＵＬスロットの数、及び、ＧＰのサイズを任意に指定できる。さらに、Ｐ１ｍｓとＰ２ｍｓの２つを連結した周期性を構成して、それぞれに個別の数のＤＬ／ＵＬスロットを設定し、Ｐ１＋Ｐ２ｍｓの合計ＴＤＤ周期性を生成することができまる。
【００２０】
ＮＲにおいて、ＳＳブロック（ＳＳＢ）の周期性は、可能な値である５、１０、２０、４０、８０、及び１６０ミリ秒に固定されている。そのため、初期アクセス手順のＳＳＢは、２０ｍｓのデフォルトの周期性を有し、総てのＴＤＤ周期性は、２０ｍｓを均等に分割しなければならない。非連結のＴＤＤ周期性の場合、Ｐの値の範囲は｛０．５，０．６２５，１，１．２５，２，２．５，３，４，５，１０｝ｍｓであり、３ミリ秒（これは、連結されたＴＤＤ周期性の一部としてのみであり、非連結のＴＤＤ周期性に対して選択することはできない。）の値を除く総ては２０ｍｓを均等に分割する。連結されたＴＤＤ周期性の場合、これにより、構成可能な周期性Ｐ１及びＰ２に制約が課せられる。
【００２１】
あるいは、スロットフォーマットは、ＤＣＩフォーマット２＿０で伝達されるスロットフォーマットインジケータ（ＳＦＩ）で動的に示すことができる。動的又は半静的ＴＤＤ構成がＮＲで使用されているかどうかに拘わらず、ＵＬスロットとＤＬスロットの数、及び、ガード期間（フレキシブルスロット内のＵＬシンボルとＤＬシンボルの数）は、ＴＤＤ周期内でほぼ任意に構成できる。これにより、非常に柔軟なアップリンク−ダウンリンク構成が可能になる。
【００２２】
大気ダクト
特定の気象条件及び世界の特定の地域では、大気中の無線信号にダクト現象が発生し得る。ダクトの発生は、たとえば温度と湿度に依存し、発生すると、信号を"チャネル化"して、ダクトが存在しない場合よりも大幅に長い距離を信号が伝搬するのを助ける。大気ダクトは、下層大気（対流圏）の内の屈折率が急激に低下している層である。この様にして、大気ダクトは、空間に放射する代わりに、ダクト層内の伝搬信号をトラップできる。したがって、信号エネルギーの大部分は、導波管として機能するダクト層を伝搬する。したがって、トラップされた信号は、見通し外の距離を比較的低いパス損失で伝搬でき、パス損失は、見通し内伝搬よりも低い場合もある。
【００２３】
ダクトイベントは通常一時的なものであり、数分から数時間の期間を有する。
【発明の概要】
【発明が解決しようとする課題】
【００２４】
ＴＤＤシステム設計と大気ダクトの存在の知識を組み合わせると、攻撃ネットワークノード２が被害ネットワークノード１に干渉を与える可能性がある図２の距離ｄが大幅に増加する。この現象は特定の条件下において、世界の特定の地域でのみ発生するため、通常、非ペアのスペクトラムを使用するセルラシステムの設計では考慮されていない。これは、図３に示す様に、ＤＬ送信が干渉（Ｉ）として突然ＵＬ領域に入る可能性があることを意味する。
【００２５】
この図は単一の無線リンクを示しているが、大気ダクトが発生すると、ＢＳは数千のＢＳによって干渉され得る。攻撃ネットワークノード２が近いほど、伝搬遅延が短くなり、干渉が強くなる。したがって、被害ネットワークノード１が経験する干渉は、典型的には、図４に示す様に、傾斜特性を有する。
【００２６】
ネットワークノード間の干渉を検出する１つの方法は、被害ネットワークノード１（つまり、大気ダクトによって干渉されていることを検出したネットワークノード）が、攻撃ネットワークノード２で検出できる特定の参照信号を送信することである。この場合、攻撃ネットワークノード２は、干渉状況を回避するためにその送信を適応させることができる。攻撃ネットワークノード２が実行できるその様な適応の１つは、例えば、そのダウンリンク送信をブランクにし、ガード期間を効果的に増加させることである。
【００２７】
チャネルの相互関係により、攻撃ネットワークノード２は、他のネットワークノード送信の被害ネットワークノード１でもある可能性が高いことに留意すべきである。
【００２８】
ＲＩ緩和フレームワーク
無線干渉（ＲＩ）の存在下で堅牢性を提供するために、ネットワーク内のネットワークノード（ｇＮＢ等）は、例えば、以下で説明し、かつ、図６に示すフレームワークを使用して、適応型分散遠隔干渉管理（ＲＩＭ）緩和スキームを適用できる。基本的に、被害ネットワークノード１は、ＲＩの存在を検出すると、潜在的な攻撃側において検出できるＲＩＭ参照信号（ＲＳ）を送信する。ＲＳを検出すると、攻撃ネットワークノード２は、ＧＰを適応させる等のＲＩＭ緩和メカニズムを適用することができる。次に、攻撃ネットワークノード２は、例えば、バックフォール通信を介して、被害ネットワークに、ＲＩＭ−ＲＳを受信したことを通知する。次に、被害ネットワークノード１は、ＲＩＭ−ＲＳを送信し続け、ダクトチャネルの強度を調査し続ける。攻撃ネットワークノード２が被害ネットワークノード１によって送信されたＲＩＭ−ＲＳを検出しなくなった後、攻撃ネットワークノード２は元のＧＰ構成を復元し、被害ネットワーク１（ｇＮＢ等）がそのＲＩＭ−ＲＳ送信を停止できる様に、バックフォールを介して被害ネットワークノード１（ｇＮＢ等）に通知する。表２は、ＲＩＭフレームワークで実行されるステップを示している。
【００２９】
【表２】
2022501937.tif 000004
【課題を解決するための手段】
【００３０】
いくつかの実施形態は、遠隔干渉識別及び当該識別に基づく干渉軽減のための方法、システム及び装置を有利に提供する。
【００３１】
本開示は、ネットワークノード（例えば、ｇＮＢ）セットＩＤの割り当てと、参照信号送信フレームワーク構成と、に基づいて、ＲＩＭ−ＲＳ送信機会及びＲＩＭ−ＲＳシーケンスを柔軟に構成するためのフレームワークを提供する。
【００３２】
本開示の一態様は、総ての可能なＮＲのＴＤＤ構成が２０ミリ秒を超える整数周期を有することを利用し、したがって、２つの１０ミリ秒無線フレームを含む無線フレームペアが、参照信号送信の時間機会をマッピングするための参照ポイントとして使用される。
【００３３】
さらに、干渉問題は大気ダクトに起因すると説明されているが、配置において選択されたガード期間が短すぎるネットワークでも同じ状況が発生し得る。したがって、本開示の解決策は、典型的なシナリオとは見なされないが、この場合にも適用可能である。 
【００３４】
本開示の一態様によると、遠隔干渉識別のためのネットワークノードが提供される。ネットワークノードは、少なくとも１つの参照信号（ＲＳ）シーケンス及び少なくとも１つの時間機会に少なくとも部分的に基づいて、少なくとも１つのＲＳの送信を行わせる様に構成された処理回路を含み、ネットワークノードの識別子は、少なくとも１つのＲＳシーケンスと、少なくとも１つの時間機会と、にマッピングされる。
【００３５】
本開示の１つ以上の実施形態によると、ネットワークノードは、別のネットワークノードのダウンリンク送信からの干渉を受ける被害ネットワークノードである。本開示の１つ以上の実施形態によると、識別子は、少なくとも１つのＲＳシーケンス及び少なくとも１つの時間機会から識別可能である。本開示の１つ以上の実施形態によると、処理回路は、さらに、別のネットワークノードからの遠隔干渉を検出する様に構成され、少なくとも１つの参照信号の送信は、検出された遠隔干渉に応答である。
【００３６】
本開示の１つ以上の実施形態によると、処理回路はさらに、少なくとも１つのＲＳの送信後、遠隔干渉が依然検出されているかを判定し、遠隔干渉が依然検出されていると判定した場合、少なくとも１つのＲＳの少なくとも１つの追加送信を行わせ、遠隔干渉が検出されていないと判定した場合、少なくとも１つのＲＳの送信を停止する様に構成される。本開示の１つ以上の実施形態によると、少なくとも１つの時間機会は、少なくとも１つのＲＳが送信される無線フレームペアと、少なくとも１つのＲＳ少なくとも１つの無線フレームペア内の異なる時間機会と、の内の少なくとも１つに対応する。本開示の１つ以上の実施形態によると、時間機会は、ダウンリンク送信とアップリンク送信との切り替えがある少なくとも１つのスロットと、スロット内の固定された時間位置と、の内の少なくとも１つに対応する。
【００３７】
本開示の１つ以上の実施形態によると、少なくとも１つのＲＳシーケンスは、複数のＲＳシーケンスを含み、少なくとも１つの時間機会は、複数の時間機会を含む。本開示の１つ以上の実施形態によると、ネットワークノードの識別子は、複数のビットによって識別される。複数のビットの内の少なくとも第１ビットは、複数のＲＳシーケンスの内の第１ＲＳシーケンスと、複数の時間機会の内の第１時間機会に対応する。複数のビットの内の少なくとも第２ビットは、複数のＲＳシーケンスの内の第２ＲＳシーケンスと、複数の時間機会の内の第２時間機会と、に対応する。本開示の１つ以上の実施形態によると、少なくとも１つのＲＳシーケンスは、同じＲＳシーケンスであり、少なくとも１つの時間機会は、複数の時間機会を含む。
【００３８】
本開示の別の実施形態によると、第１ネットワークノードが提供される。第１ネットワークノードは、遠隔干渉識別のための少なくとも１つの時間機会の間に、少なくとも１つの参照信号（ＲＳ）シーケンスを含む少なくとも１つのＲＳを受信し、少なくとも１つのＲＳシーケンス及び少なくとも１つの時間機会に少なくとも部分的に基づいて、第２ネットワークノードの識別子を判定する様に構成された処理回路を含み、第２ネットワークノードの識別子は、少なくとも１つのＲＳシーケンスと、少なくとも１つの時間機会と、にマッピングされている。
【００３９】
本開示の１つ以上の実施形態によると、処理回路は、さらに、第２ネットワークノードの判定した識別子に少なくとも部分的に基づいて、少なくとも１つの遠隔干渉緩和アクションを実行する様に構成される。本開示の１つ以上の実施形態によると、処理回路は、少なくとも１つの遠隔干渉緩和アクションを実行した後、少なくとも１つのＲＳ信号が検出されるかを判定し、少なくとも１つのＲＳ信号が検出されていないと判定した場合、遠隔干渉緩和アクションを変更する様にさらに構成される。本開示の１つ以上の実施形態によると、第１ネットワークノードは、第２ネットワークノードでの干渉の原因である攻撃ネットワークノードである。
【００４０】
本開示の１つ以上の実施形態によると、識別子は、少なくとも１つのＲＳシーケンス及び少なくとも１つの時間機会から識別可能である。本開示の１つ以上の実施形態によると、少なくとも１つの時間機会は、少なくとも１つのＲＳが送信される無線フレームペアと、少なくとも１つのＲＳの少なくとも１つの無線フレームペア内の異なる時間機会と、の内の少なくとも１つに対応する。本開示の１つ以上の実施形態によると、時間機会は、ダウンリンク送信とアップリンク送信との切り替えがある少なくとも１つのスロットと、スロット内の固定された時間位置と、の内の少なくとも１つに対応する。
【００４１】
本開示の１つ以上の実施形態によると、少なくとも１つのＲＳシーケンスは、複数のＲＳシーケンスを含み、少なくとも１つの時間機会は、複数の時間機会を含む。本開示の１つ以上の実施形態によると、第２ネットワークノードの識別子は、複数のビットによって識別される。複数のビットの内の少なくとも第１ビットは、複数のＲＳシーケンス内の第１ＲＳシーケンスと、複数の時間機会の内の第１時間機会と、に対応する。複数のビットの内の少なくとも第２ビットは、複数のＲＳシーケンスの内の第２ＲＳシーケンスと、複数の時間機会の内の第２時間機会と、に対応する。本開示の１つ以上の実施形態によると、少なくとも１つのＲＳシーケンスは、同じＲＳシーケンスであり、少なくとも１つの時間機会は、複数の時間機会を含む。
【００４２】
本開示の別の態様によると、遠隔干渉識別のためのネットワークノードで実行される方法が提供される。少なくとも１つの参照信号（ＲＳ）の送信は、少なくとも１つのＲＳシーケンス及び少なくとも１つの時間機会に少なくとも部分的に基づいて生じ、ネットワークノードの識別子は、少なくとも１つのＲＳシーケンスと、少なくとも１つの時間機会と、にマッピングされる。
【００４３】
この態様の１つ以上の実施形態によると、ネットワークノードは、別のネットワークノードのダウンリンク送信からの干渉を受ける被害ネットワークノードである。この態様の１つ以上の実施形態によると、識別子は、少なくとも１つのＲＳシーケンス及び少なくとも１つの時間機会から識別可能である。この態様の１つ以上の実施形態によると、別のネットワークノードからの遠隔干渉が検出され、少なくとも１つの参照信号の送信は、検出された遠隔干渉の応答である。
【００４４】
この態様の１つ以上の実施形態によると、少なくとも１つのＲＳの送信後、遠隔干渉が依然検出されているかを判定し、遠隔干渉が依然検出されていると判定した場合、少なくとも１つのＲＳの少なくとも１つの追加送信が生じ、遠隔干渉が検出されていないと判定した場合、少なくとも１つのＲＳの送信が停止される。この態様の１つ以上の実施形態によると、少なくとも１つの時間機会は、少なくとも１つのＲＳが送信される無線フレームペアと、少なくとも１つのＲＳの少なくとも１つのための無線フレームペア内の異なる時間機会と、の内の少なくとも１つに対応する。この態様の１つ以上の実施形態によると、時間機会は、ダウンリンク送信とアップリンク送信との切り替えがある少なくとも１つのスロットと、スロット内の固定された時間位置との内の少なくとも１つに対応する。
【００４５】
この態様の１つ以上の実施形態によると、少なくとも１つのＲＳシーケンスは、複数のＲＳシーケンスを含み、少なくとも１つの時間機会は、複数の時間機会を含む。この態様の１つ以上の実施形態によると、ネットワークノードの識別子は、複数のビットによって識別される。複数のビットの内の少なくとも第１ビットは、複数のＲＳシーケンスの内の第１ＲＳシーケンスと、複数の時間機会の内の第１時間機会と、に対応する。複数のビットの内の少なくとも第２ビットは、複数のＲＳシーケンスの内の第２ＲＳシーケンスと、複数の時間機会の内の第２時間機会と、に対応する。この態様の１つ以上の実施形態によると、少なくとも１つのＲＳシーケンスは、同じＲＳシーケンスであり、少なくとも１つの時間機会は、複数の時間機会を含む。
【００４６】
本開示の別の態様によると、第１ネットワークノードにより実行される方法が提供される。少なくとも１つの参照（ＲＳ）シーケンスを含む少なくとも１つのＲＳは、遠隔干渉識別のための少なくとも１つの時間機会の間に受信される。第２ネットワークノードの識別子は、少なくとも１つのＲＳシーケンス及び少なくとも１つの時間機会に少なくとも部分的に基づいて判定され、第２ネットワークノードの識別子は、少なくとも１つのＲＳシーケンスと、少なくとも１つの時間機会とにマッピングされる。
【００４７】
この態様の１つ以上の実施形態によると、第２ネットワークノードの判定した識別子に少なくとも部分的に基づいて、少なくとも１つの遠隔緩和アクションが実行される。この態様の１つ以上の実施形態によると、少なくとも１つの遠隔干渉緩和アクションが実行された後、少なくとも１つのＲＳ信号が検出されたかが判定され、少なくとも１つのＲＳ信号が検出されていないと判定された場合、遠隔干渉緩和アクションが変更される。この態様の１つ以上の実施形態によると、第１ネットワークノードは、第２ネットワークノードでの干渉の原因である攻撃ネットワークノードである。
【００４８】
この態様の１つ以上の実施形態によると、識別子は、少なくとも１つのＲＳシーケンス及び少なくとも１つの時間機会から識別可能である。この態様の１つ以上の実施形態によると、少なくとも１つの時間機会は、少なくとも１つのＲＳが送信される無線フレームペアと、少なくとも１つのＲＳの少なくとも１つのための無線フレームペア内の異なる時間機会と、の内の少なくとも１つに対応する。この態様の１つ以上の実施形態によると、時間機会は、ダウンリンク送信とアップリンク送信との切り替えがある少なくとも１つのスロットと、スロット内の固定された時間位置と、の内の少なくとも１つに対応する。
【００４９】
この態様の１つ以上の実施形態によると、少なくとも１つのＲＳシーケンスは、複数のＲＳシーケンスを含み、少なくとも１つの時間機会は、複数の時間機会を含む。この態様の１つ以上の実施形態によると、第２ネットワークノードの識別子は、複数のビットによって識別される。複数のビットの内の少なくとも第１ビットは、複数のＲＳシーケンスの内の第１ＲＳシーケンスと、複数の時間機会の内の第１時間機会と、に対応する。複数のビットの内の少なくとも第２ビットは、複数のＲＳシーケンスの内の第２ＲＳシーケンスと、複数の時間機会の内の第２時間機会と、に対応する。この態様の１つ以上の実施形態によると、少なくとも１つのＲＳシーケンスは、同じＲＳシーケンスであり、少なくとも１つの時間機会は、複数の時間機会を含む。
【００５０】
本実施形態と、それに付随する利点及び特徴のより完全な理解は、以下の詳細な説明を参照し、添付の図面と併せて考慮することによってより容易に理解されるであろう。
【図面の簡単な説明】
【００５１】
【図１】ＮＲの物理リソースグリッドを示す図。
【図２】ＴＤＤガード期間設計の説明図。
【図３】アップリンク領域でのダウンリンク干渉を示す図。
【図４】ダウンリンクからアップリンクへの干渉の場合の干渉特性を示す図。
【図５】ＲＩＭ−ＲＳ送信を示す図。
【図６】例示的なＲＩＭフレームワークを示す図。
【図７】本開示の原理による、中間ネットワークを介してホストコンピュータに接続された通信システムを示す例示的なネットワークアーキテクチャの概略図。
【図８】本開示の幾つかの実施形態によるネットワークノードのブロック図。
【図９】本開示の幾つかの実施形態による、遠隔干渉識別のためのネットワークノードにおける例示的なプロセスのフローチャート。
【図１０】本開示の幾つかの実施形態による、遠隔干渉識別のためのネットワークノードにおける別の例示的なプロセスのフローチャート。
【図１１】本開示の幾つかの実施形態による、遠隔干渉識別及び緩和のためのネットワークノードにおける別の例示的なプロセスのフローチャート。
【図１２】本開示の幾つかの実施形態による、遠隔干渉識別及び緩和のためのネットワークノードにおける別の例示的なプロセスのフローチャート。
【図１３】各ＵＬ／ＤＬ切り替えポイントにおけるＲＩＭ  ＲＳ送信可能性を示す図。
【図１４】無線フレームペア内のＲＩＭ  ＲＳグループへのＲＩＭ  ＲＳ送信機会の分割を示す図。
【図１５】ＤＬ−ＵＬ送信周期内のダウンリンク及びアップリンク送信境界を示す図。
【図１６】各ＵＬ／ＤＬ切り替えポポイントにおけるＲＩＭ  ＲＳ送信機会を示す図。
【図１７】無線フレームペア内のＲＩＭ  ＲＳグループへのＲＩＭ  ＲＳ送信機会の分割を示す図。
【発明を実施するための形態】
【００５２】
図６に示される、説明したＲＩＭフレームワークにおいて、攻撃ネットワークノード２（ｇＮＢ等）が被害ネットワークノードへのバックホールリンクを確立するため、ＲＩＭ−ＲＳ送信は、ＲＳを送信した個々のネットワークノード（例えば、ｇＮＢ）又はネットワークノード（例えば、ｇＮＢ）のセットの識別子／ＩＤを伝達する必要がある。ただし、既存のシステムは、検出されたＲＳに基づいて、そのようなＩＤを、どの様に伝達できるかを定義してはいない。
【００５３】
本開示は、ネットワークノード（例えば、ｇＮＢ）セットＩＤの割り当てと、参照信号送信フレームワーク構成と、に基づいて、ＲＩＭ−ＲＳ送信機会及びＲＩＭ−ＲＳシーケンスを柔軟に構成するためのフレームワークを提供することにより、既存のシステムの問題の少なくとも一部を解決する。１つ以上の実施形態において、本開示は、総ての可能なＮＲのＴＤＤ構成が２０ミリ秒を超える整数周期を有することを利用し、２つの１０ミリ秒無線フレームを含む無線フレームペアが、参照信号送信の時間機会をマッピングするための参照ポイントとして使用される。
【００５４】
本開示の教示を使用して、ネットワークは、その必要性に従ってＲＳ送信を柔軟に行い、ネットワークノード（例えば、ｇＮＢ）の検出の複雑さ、検出確率、及びＲＳ送信の遅延をトレードオフすることができる。
【００５５】
使用されるＴＤＤのＵＬ／ＤＬ構成に拘わらず、許可されたシステムフレーム番号（ＳＦＮ）で表される送信機会が、ネットワークノード（ｇＮＢ等）のセットＩＤの一部にマッピングするために使用され得る。
【００５６】
例示的な実施形態を詳細に説明する前に、実施形態は、主に、遠隔干渉識別及び当該識別に基づく干渉緩和の装置コンポーネント及び処理ステップの組み合わせにあることに留意されたい。したがって、構成要素は、図面における従来の記号により、本開示の実施形態を理解することに関連する特定の詳細のみを示し、本開示の利点を有する技術分野の当業者には容易に明らかとなる程度の詳細で本開示を曖昧にしない様に記載される。本開示を通じて、同様の参照符号は、同様の構成要素を示す。
【００５７】
本明細書で使用されるとき、"第１"、"第２"、"上部"及び"下部"等の関係用語は、その様なエンティティ又は要素間の物理的又は論理的な関係や順序を暗示・必要とすることなく、あるエンティティ又は要素を別のエンティティ又は要素から区別するためにのみ使用される。本明細書で使用される用語は、特定の実施形態を説明することのみを目的としており、本明細書で説明されている概念を限定することを意図していない。単数形式は、文脈が明らかに他の場合を示している場合を除き、複数形式を含むことが意図される。本明細書で使用されるとき、用語"含む"、"備える"及び／又は"有する"は、記載された特徴、整数、ステップ、動作、要素、及び／又は、構成要素の存在を特定するが、１つ以上の他の特徴、整数、ステップ、動作、要素、構成要素、及び／又は、それらのグループの存在又は追加を排除しない。
【００５８】
本明細書に記載の実施形態では、"〜と通信する"等の用語は、物理的接触、誘導、電磁放射、無線信号、赤外線信号又は光信号によって達成され得る電気又はデータ通信を示すために使用され得る。当業者は、複数の構成要素が相互動作でき、電気的通信及びデータ通信を達成するための修正形態及び変形形態が可能であることを理解するであろう。
【００５９】
幾つかの実施形態において、用語"結合"及び"接続"は、接続を示すために使用され、直接的である必要はなく、有線及び／又は無線接続を含み得る。
【００６０】
本明細書で使用される時間リソースという用語は、時間の長さに関して表される任意のタイプの物理リソース又は無線リソースに対応し得る。タイムリソースの例は、シンボル、タイムスロット、サブフレーム、無線フレーム、ＴＴＩ、インターリーブ時間等である。
【００６１】
本明細書で使用される"ネットワークノード"という用語は、基地局（ＢＳ）、無線基地局、基地トランシーバ局（ＢＴＳ）、基地局コントローラ（ＢＳＣ）、無線ネットワークコントローラ（ＲＮＣ）、ｇノードＢ（ｇＮＢ）、発展型ノードＢ（ｅＮＢ又はｅＮｏｄｅＢ）、ノードＢ、ＭＳＲ  ＢＳ等のマルチスタンダード無線（ＭＳＲ）無線ノード、マルチセル／マルチキャスト調整エンティティ（ＭＣＥ）、リレーノード、リレーを制御するドナーノード、無線アクセスポイント（ＡＰ）、送信ポイント、送信ノード、遠隔無線ユニット（ＲＲＵ）、遠隔無線ヘッド（ＲＲＨ）、コアネットワークノード（モバイル管理エンティティ（ＭＭＥ）、セルフオーオーガナイジングネットワーク（ＳＯＮ）ノード、調整ノード、測位ノード、ＭＤＴノード等）、外部ノード（たとえば、サードパーティノード、現在のネットワークの外部のノード）、分散アンテナシステム（ＤＡＳ）のノード、スペクトルアクセスシステム（ＳＡＳ）ノード、要素管理システム（ＥＭＳ）等を含み得る、無線ネットワークに含まれる任意種別のネットワークノードであり得る。ネットワークノードは、テスト機器も含み得る。本明細書で使用される"無線ノード"という用語は、無線デバイス（ＷＤ）又は無線ネットワークノード等を示すためにも使用され得る。
【００６２】
いくつかの実施形態において、非限定的な用語の無線デバイス（ＷＤ）又はユーザ機器（ＵＥ）は互換的に使用される。本明細書のＷＤは、無線信号を介してネットワークノード又は別のＷＤと通信することができる任意のタイプの無線デバイスであり得る。ＷＤは、無線通信デバイス、ターゲットデバイス、デバイス間（Ｄ２Ｄ）ＷＤ、マシンタイプＷＤ、又はマシン間通信（Ｍ２Ｍ）が可能なＷＤ、低コスト及び／又は複雑さの低いＷＤ、センサ装備ＷＤ、タブレット、モバイル端末、スマートフォン、ラップトップ組み込み機器（ＬＥＥ）、ラップトップ搭載機器（ＬＭＥ）、ＵＳＢドングル、顧客宅内機器（ＣＰＥ）、ＩｏＴ（モノのインターネット）デバイス、又は、狭帯域ＩｏＴ（ＮＢ  −ＩＯＴ）デバイス等を含み得る。
【００６３】
また、いくつかの実施形態において、"無線ネットワークノード"という一般的な用語が使用される。それは、基地局、無線基地局、基地トランシーバ局、基地局コントローラ、ネットワークコントローラ（ＲＮＣ）、発展型ノードＢ（ｅＮＢ）、ノードＢ、ｇＮＢ、マルチセル／マルチキャスト調整エンティティ（ＭＣＥ）、リレーノード、アクセスポイント、無線アクセスポイント、遠隔無線ユニット（ＲＲＵ）、遠隔無線ヘッド（ＲＲＨ）のいずれかを含み得る任意種別の無線ネットワークノードであり得る。
【００６４】
セルラ通信については、例えば、ネットワークノード、特に基地局、ｇＮＢ又はｅＮｏｄｅＢによって提供され得るセルを介して及び／又は定義する、少なくとも１つのアップリンク（ＵＬ）接続及び／又はチャネル及び／又はキャリアと、少なくとも１つのダウンリンク（ＤＬ）接続及び／又はチャネル及び／又はキャリアが提供される。アップリンク方向は、端末からネットワークノード、例えば、基地局及び／又は中継局へのデータ転送方向を参照し得る。ダウンリンク方向は、ネットワークノード、例えば、基地局及び／又は中継局から端末へのデータ転送方向を参照し得る。ＵＬ及びＤＬは、異なる周波数リソース、例えば、キャリア及び／又はスペクトルバンドに関連付けられ得る。セルは、少なくとも１つのアップリンクキャリア及び少なくとも１つのダウンリンクキャリアを含み、これらは、異なる周波数帯域を有し得る。ネットワークノード、例えば、基地局、ｇＮＢ又はｅノードＢは、１つ又は複数のセル、例えば、ＰＣｅｌｌを提供及び／又は定義及び／又は制御する様に適合され得る。
【００６５】
例えば３ＧＰＰ  ＬＴＥ及び／又はニューレディオ（ＮＲ）等の１つの特定の無線システムからの用語が本開示で使用され得るが、これは、本開示の範囲を前述のシステムのみに限定すると見なされるべきではないことに留意されたい。広帯域コード分割多元接続（ＷＣＤＭＡ（登録商標）)、ＷｉＭａｘ（ＷｏｒｌｄｗｉｄｅＩｎｔｅｒｏｐｅｒａｂｉｌｉｔｙｆｏｒＭｉｃｒｏｗａｖｅＡｃｃｅｓｓ）、ウルトラモバイルブロードバンド（ＵＭＢ）、及びＧＳＭ（ＧｌｏｂａｌＳｙｓｔｅｍｆｏｒＭｏｂｉｌｅＣｏｍｍｕｎｉｃａｔｉｏｎｓ）を含むがこれらに限定されない他の無線システムも、本開示でカバーされるアイデアを活用することで利益を得ることができる。
【００６６】
さらに、無線デバイス又はネットワークノードによって実行されるものとして本明細書で説明されている機能は、複数の無線デバイス及び／又はネットワークノードに渡り分散させることができることに留意されたい。言い換えると、本明細書に記載のネットワークノード及び無線デバイスの機能は、単一の物理デバイスによって実行されることに限定されず、実際、いくつかの物理デバイス間に分散され得る。
【００６７】
他に定義されない限り、本明細書で使用される総ての用語（技術的及び科学的用語を含む）は、本開示が属する技術分野の当業者によって一般に理解されるのと同じ意味を有する。さらに、本明細書で使用される用語は、本明細書及び関連技術の文脈におけるそれらの意味と一致する意味を有すると解釈されるべきであり、本明細書で明確に定義されない限り理想的又は過度に形式的な意味で解釈されない。
【００６８】
実施形態は、遠隔干渉識別及び当該識別に基づく干渉緩和を提供する。
【００６９】
同様の要素が同様の参照符号により参照される図に戻ると、図７は、無線アクセスネットワーク等のアクセスネットワーク１２及びコアネットワーク１４を含む、ＬＴＥ及び／又はＮＲ（５Ｇ）等の標準をサポートし得る３ＧＰＰタイプのセルラネットワーク等の、実施形態による通信システム１０を示している。アクセスネットワーク１２は、ＮＢ、ｅＮＢ、ｇＮＢ又は他のタイプの無線アクセスポイント等の複数のネットワークノード１６ａ、１６ｂ、１６ｃ（総称してネットワークノード１６として参照する）を有し、それぞれが対応するカバレッジエリア１８ａ、１８ｂ、１８ｃ（総称してカバレッジエリア１８として参照する）を定義する。各ネットワークノード１６ａ、１６ｂ、１６ｃは、有線又は無線接続２０を介してコアネットワーク１４に接続可能である。カバレッジエリア１８ａに位置する第１無線デバイス（ＷＤ）２２ａは、対応するネットワークノード１６ｃに無線で接続する、或いは、ページングされる様に構成される。カバレッジエリア１８ｂの第２ＷＤ２２ｂは、対応するネットワークノード１６ａに無線で接続可能である。複数のＷＤ２２ａ、２２ｂ（総称して無線デバイス２２として参照する）がこの例に示されているが、開示する実施形態は、単一ＷＤがカバレッジエリアにある状況、又は、単一ＷＤが対応する無線ネットワークノード１６に接続している状況に等しく適用可能である。便宜上、２つのＷＤ２２及び３つのネットワークノード１６のみが示されているが、通信システムは、より多くのＷＤ２２及びネットワークノード１６を含み得ることに留意されたい。
【００７０】
また、ＷＤ２２は、複数のネットワークノード１６及び２つ以上のタイプのネットワークノード１６と、同時に通信することができる、及び／又は、別々に通信する様に構成することができる。例えば、ＷＤ２２は、ＬＴＥをサポートするネットワークノード１６と、同じ又はＮＲをサポートする異なるネットワークノード１６との二重接続を有することができる。一例として、ＷＤ２２は、ＬＴＥ／Ｅ−ＵＴＲＡＮのｅＮＢ及びＮＲ／ＮＧ−ＲＡＮのｇＮＢと通信することができる。
【００７１】
通信システム１０自体は、スタンドアロンサーバ、クラウド実装サーバ、分散サーバのハードウェア及び／又はソフトウェアにより、又は、サーバファームの処理リソースとして具現化され得るホストコンピュータに接続され得る。
【００７２】
ネットワークノード１６は、本開示の原理に従って、遠隔干渉識別のための少なくとも１つの参照信号（ＲＳ）を送信する様に構成された干渉ユニット２４を含む様に構成される。ネットワークノード１６は、ネットワークノードセット識別子に基づいて、干渉緩和アクション等の少なくとも１つのアクションを実行する様に構成された攻撃ユニット２６を含む様に構成される。例えば、ネットワークノード１６が被害ネットワークノード１６ａである場合、被害ネットワークノード１６ａは、本明細書で説明される様に、干渉ユニット２４に関連する１つ又は複数の機能を実行する様に構成され得る。別の例において、ネットワークノード１６が攻撃ネットワークノード１６ｂである場合、攻撃ネットワークノード１６ｂは、本明細書で説明される様に、攻撃ユニット２６に関連する１つ又は複数の機能を実行する様に構成され得る。
【００７３】
前述の段落で説明したネットワークノード１６の実施形態に従う例示的な実装を、図８を参照して説明する。通信システム１０においては、ネットワークノード１６が提供され、ＷＤ２２及び他のネットワークノード１６と通信することを可能にするハードウェア２８を含む。ハードウェア２８は、バックホールネットワークを介して別のネットワークノード１６と通信する等、通信システム１０の別の通信デバイスのインタフェースとの有線又は無線接続を設定及び維持するための通信インタフェース３０と、少なくとも、無線ネットワークノード１６がサービスを提供するカバレッジエリア１８にあるＷＤ２２との無線接続を設定及び維持するための無線インタフェース３２と、を含み得る。無線インタフェース３２は、例えば、１つ以上のＲＦ送信機、１つ以上のＲＦ受信機、及び／又は、１つ以上のＲＦトランシーバとして形成され得る、或いは、それらを含み得る。通信インタフェース３０は、通信システム１０内の他のエンティティの中で、１つ又は複数のネットワークノード１６とのバックフォール接続等の接続３６を容易にする様に構成され得る。
【００７４】
図示する実施形態において、ネットワークノード１６のハードウェア２８は、処理回路３８をさらに含む。処理回路３８は、プロセッサ４０及びメモリ４２を含み得る。特に、中央処理ユニットの様なプロセッサ及びメモリに加えて、或いは、代えて、処理回路３８は、処理及び／又は制御のための集積回路、たとえば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路４０は、メモリ４２にアクセス（たとえばそこに書き込む、及び／又は、そこから読み取る）する様に構成され、たとえばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。
【００７５】
この様に、ネットワークノード１６はさらに、たとえばメモリ４２の内部に格納されるか、又は外部接続を介してネットワークノード１６によってアクセス可能な外部メモリ（たとえばデータベース、ストレージアレイ、ネットワークストレージデバイス）に格納されるソフトウェア４４を有する。ソフトウェア４４は、処理回路３８により実行可能な命令を含み得る。処理回路６８は、本明細書に記載の方法及び／又はプロセスのいずれかを制御し、及び／又は、そのような方法及び／又はプロセスを、たとえばネットワークノード１６によって実行させる様に構成され得る。プロセッサ４０は、本明細書で説明するネットワークノード１６の機能を実行するための１つ以上のプロセッサ４０に対応する。メモリ４２は、データ、プログラムソフトウェアコード及び／又は本明細書に記載されている他の情報を格納する様に構成される。いくつかの実施形態において、ソフトウェア４４は、プロセッサ４０及び／又は処理回路３８によって実行されると、プロセッサ４０及び／又は処理回路３８に、ネットワークノード１６に関連して本明細書で説明したプロセスを実行させる命令を含み得る。例えば、ネットワークノード１６の処理回路３８は、本開示の原理に従って、遠隔干渉識別のために少なくとも１つの参照信号（ＲＳ）を送信する様に構成された干渉ユニット２４を含み得る。処理回路３８は、ネットワークノードセット識別子に基づいて干渉緩和アクション等の少なくとも１つのアクションを実行する様に構成された攻撃ユニット２６を含み得る。１つ以上の実施形態において、被害ネットワークノード１６は、攻撃ネットワークノード１６に対してそれ自身を識別させるために干渉ユニット２４を使用する様に構成され、攻撃ユニット２６は、被害ネットワークノード１６から省略され得る。１つ以上の実施形態において、攻撃ネットワークノード１６は、被害ネットワークノード１６に関連付けられたネットワークノードセット識別子を判定し、ネットワークノードセット識別子に基づいて少なくとも１つのアクションを実行するために攻撃ユニット２６を使用する様に構成され、干渉ユニット２４は、攻撃ネットワークノード１６から省略され得る。
【００７６】
通信システム１０は、既に言及した１つ以上のＷＤ２２をさらに含む。ＷＤ２２は、ＷＤ２２が意図された通信機能を実行することを可能にするためのハードウェア及びソフトウェアを含み得る。そのようなハードウェア及びソフトウェアは、メモリ及びプロセッサ、無線インタフェース及び通信インタフェースを含む処理回路を含み得るが、これらに限定されない。特に、中央処理ユニットの様なプロセッサ及びメモリに加えて、或いは、代えて、処理回路３８は、処理及び／又は制御のための集積回路、たとえば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。ＷＤプロセッサは、ＷＤメモリにアクセスする様に構成され（例えば、書き込み、及び／又は、読出し）、たとえばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。いくつかの実施形態において、ネットワークノード１６の内部動作は、図８に示されるとおりであり、独立して、周囲のネットワークトポロジは図７に示す通りであり得る。
【００７７】
図７及び図８は、干渉ユニット２４及び攻撃ユニット２６等の様々な"ユニット"をそれぞれのプロセッサ内にあるものとして示しているが、これらのユニットは、ユニットの一部が処理回路内の対応するにメモリに格納される様に実装され得ることを意図している。言い換えると、ユニットは、処理回路内のハードウェア又はハードウェアとソフトウェアの組み合わせで実装され得る。
【００７８】
図９は、遠隔干渉識別のための少なくとも１つの基準信号（ＲＳ）を送信するネットワークノード１６ａ内の干渉ユニット２４に関連する例示的な干渉プロセスのフローチャートである。例えば、干渉プロセスは、被害ネットワークノード１６ａによって実行され得る。処理回路３８は、ＲＳ送信構成を取得する様に構成される（ブロックＳ１００）。処理回路３８は、ＲＳ送信構成に基づいて、少なくとも１つのＲＳの少なくとも１つのＲＳシーケンスを判定する様に構成される（ブロックＳ１０２）。処理回路３８は、ＲＳ送信構成に基づいて、時間における少なくとも１つの送信機会を判定する様に構成され、ここで、少なくとも１つのＲＳシーケンス及び時間における少なくとも１つの送信機会は、ネットワークノードセット識別子に対応する（ブロックＳ１０４）。処理回路３８は、ネットワークノードセット識別子に基づいて、遠隔干渉識別のための少なくとも１つのＲＳの送信を引き起こす様に構成され（ブロックＳ１０６）、ここで、少なくとも１つのＲＳは、判定された少なくとも１つのＲＳシーケンス及び少なくとも１つの時間における送信機会に従って送信される。
【００７９】
１つ以上の実施形態において、時間における少なくとも１つの送信機会を判定することは、少なくとも１つのＲＳが送信される無線フレームペアを判定することと、少なくとも１つのＲＳそれぞれの判定された無線フレームペア内の異なる時間機会を判定することと、の内の少なくとも１つを含む。１つ以上の実施形態において、ＲＳ送信構成を取得することは、ネットワークノードセット識別子を取得することと、ＲＳ送信フレームワーク構成を取得することと、の内の少なくとも１つを含む。
【００８０】
図１０は、本開示の１つ以上の実施形態による、ネットワークノード１６ａによって実施される例示的な干渉プロセスのフローチャートである。例えば、図１０のプロセスは、被害ネットワークノード１６ａによって実行され得る。ネットワークノード１６ａによって実行される１つ以上のブロック及び／又は機能は、処理回路３８の干渉ユニット２４、プロセッサ４０、無線インタフェース３２等の、ネットワークノード１６ａの１つ以上の要素によって実行され得る。１つ以上の実施形態において、処理回路３８、プロセッサ４０、通信インタフェース３０及び無線インタフェース３２の内の１つ以上を介する等により、ネットワークノード１６ａは、少なくとも１つのＲＳシーケンス及び少なくとも１つの時間機会に少なくとも部分的に基づいて、少なくとも１つのＲＳの送信を生じさせ（ブロックＳ１０８）、ネットワークノード１６ａの識別子は、少なくとも１つのＲＳシーケンスと、少なくとも１つの時間機会と、にマッピングされる。言い換えると、少なくとも１つのＲＳシーケンス及び／又は少なくとも１つの時間機会によって、ネットワークノード１６ａの識別子が識別可能、又は、示される様に、ネットワークノード１６ａの識別子と、少なくとも１つのＲＳシーケンス及び／又は少なくとも１つの時間機会（すなわち、時間位置）との間のマッピングが存在し、これら両方は、ネットワークノード１６ａによって送信されるＲＳに関連付けられ得る。１つ以上の実施形態において、マッピングは、ネットワークノード１６ａによって実行される、ネットワークノード１６ａによって受信される、或いは、ネットワークノード１６ａに示される。
【００８１】
１つ以上の実施形態によると、ネットワークノード１６ａは、別のネットワークノード１６ｂのダウンリンク送信からの干渉を受ける被害ネットワークノード１６ａである。本開示の１つ以上の実施形態によると、識別子は、少なくとも１つのＲＳシーケンス及び少なくとも１つの時間機会から識別可能である。本開示の１つ以上の実施形態によると、処理回路３８は、さらに、別のネットワークノード１６ｂからの遠隔干渉を検出する様に構成され、少なくとも１つの参照信号の送信は、遠隔干渉の検出に応答して行われる。
【００８２】
本開示の１つ以上の実施形態によると、処理回路３８は、さらに、少なくとも１つのＲＳの送信後、遠隔干渉が依然検出されているかを判定し、遠隔干渉が依然検出されていると判定した場合、少なくとも１つのＲＳの少なくとも１つの追加送信を生じさせ、遠隔干渉が検出されていないと判定した場合、少なくとも１つのＲＳの送信を停止させる。本開示の１つ以上の実施形態によると、少なくとも１つの時間機会は、少なくとも１つのＲＳが送信される無線フレームペアと、少なくとも１つのＲＳの少なくとも１つのための無線フレームペア内の異なる時間機会と、の内の少なくとも１つに対応する。本開示の１つ以上の実施形態によると、時間機会は、ダウンリンク送信とアップリンク送信との切り替えがある少なくとも１つのスロットと、スロット内の固定された時間位置と、の内の少なくとも１つに対応する。
【００８３】
本開示の１つ以上の実施形態によると、少なくとも１つのＲＳシーケンスは、複数のＲＳシーケンスを含み、少なくとも１つの時間機会は、複数の時間機会を含む。本開示の１つ以上の実施形態によると、ネットワークノード１６ａの識別子は、複数のビットによって識別される。複数のビットの内の少なくとも第１ビットは、複数のＲＳシーケンスの内の第１ＲＳシーケンスと、複数の時間機会の内の第１時間機会と、に対応する。複数のビットの内の少なくとも第２ビットは、複数のＲＳシーケンスの内の第２ＲＳシーケンスと、複数の時間機会の内の第２時間機会と、に対応する。本開示の１つ以上の実施形態によると、少なくとも１つのＲＳシーケンスは、同じＲＳシーケンスであり、少なくとも１つの時間機会は、複数の時間機会を含む。同じＲＳシーケンスが、複数の時間機会の間のＲＳ送信において使用され得る。
【００８４】
１つ以上の実施形態によると、ネットワークノード１６ａの識別子は、ＲＳの送信に明示的に含まれず、ネットワークノード１６ａの識別子は、本明細書で説明されるマッピングから導出される必要があり得る。例えば、ネットワークノード１６ａの識別子"ＩＤ"は、ＲＳの送信に含まれず、ＩＤは、少なくとも１つのＲＳシーケンス及び／又は少なくとも１つの時間機会に基づいて導出／判定され得る。
【００８５】
図１１は、本開示の幾つかの実施形態による、遠隔干渉識別のための少なくとも１つの参照信号（ＲＳ）を受信するネットワークノード１６ａ内の攻撃ユニット２６に関連する例示的な攻撃プロセスのフローチャートである。例えば、攻撃プロセスは、攻撃ネットワークノード１６ｂによって実行され得る。処理回路３８は、遠隔干渉識別のための少なくとも１つのＲＳを受信する様に構成され（ブロックＳ１１２）、ここで、少なくとも１つのＲＳは、少なくとも１つのＲＳシーケンス及び少なくとも１つの時間における送信機会に基づくネットワークノードセット識別子に対応する。処理回路３８は、受信した少なくとも１つのＲＳに基づいて、ネットワークノードセット識別子を判定する様に構成される（ブロックＳ１１４）。例えば、１つ以上の実施形態において、ネットワークノード１６ａの識別子の判定は、本明細書で説明されるマッピングに少なくとも部分的に基づいて実行される。処理回路３８は、ネットワークノードセット識別子に基づいて、少なくとも１つのアクションを実行する様に構成される（ブロックＳ１１６）。
【００８６】
１つ以上の実施形態において、少なくとも１つの時間における送信機会は、少なくとも１つのＲＳが送信される無線フレームペアと、少なくとも１つのＲＳの少なくとも１つ、又は、少なくとも１つのＲＳそれぞれについて判定された無線フレームペア内の異なる時間機会と、の内の少なくとも１つに基づく。１つ以上の実施形態において、ＲＳ送信構成は、ネットワークノードセット識別子と、ＲＳ送信フレームワーク構成と、の内の少なくとも１つに基づく。１つ以上の実施形態において、少なくとも１つのアクションは、別のネットワークノード１６とのバックフォール通信を確立することを含む。
【００８７】
図１２は、本開示の幾つかの実施形態による、遠隔干渉識別のための少なくとも１つの参照信号（ＲＳ）を受信するネットワークノード１６ｂ内の攻撃ユニット２６に関連する例示的な攻撃プロセスのフローチャートである。例えば、図１２のプロセスは、攻撃ネットワークノード１６ｂによって実行され得る。ネットワークノード１６ｂによって実行される１つ以上のブロック及び／又は機能は、処理回路３８の攻撃ユニット２６、プロセッサ４０、無線インタフェース３２等による、ネットワークノード１６ｂの１つ以上要素によって実行され得る。１つ以上の実施形態において、ネットワークノード１６ｂは、処理回路３８、プロセッサ４０、通信インタフェース３０、攻撃ユニット２６及び無線インタフェース３２の内の１つ以上を介して、少なくとも１つの時間機会において、遠隔干渉識別のための少なくとも１つのＲＳを受信し（ブロックＳ１１８）、ここで、少なくとも１つのＲＳは、本明細書に記載されている様に、少なくとも１つのＲＳシーケンスを含む。１つ以上の実施形態において、ネットワークノード１６ｂは、例えば、処理回路３８、プロセッサ４０、通信インタフェース３０、攻撃ユニット２６及び無線インタフェース３２の内の１つ以上を介して、少なくとも１つのＲＳシーケンスと、少なくとも１つの時間機会と、に少なくとも部分的に基づいて、第２ネットワークノード１６ａ（例えば、被害ネットワークノード１６ａ）の識別子を判定する様に構成され（ブロックＳ１２０）、第２ネットワークノード１６ａの識別子は、本明細書に記載されている様に、少なくとも１つのＲＳシーケンスと、少なくとも１つの時間機会と、にマッピングされる。例えば、１つ以上の実施形態において、第２ネットワークノード１６ａの識別子の判定は、本明細書で説明されるマッピングに少なくとも部分的に基づいて実行される。
【００８８】
本開示の別の実施形態によると、第１ネットワークノード１６ｂが提供される。第１ネットワークノード１６ｂは、少なくとも１つの時間機会の間、遠隔干渉識別のための少なくとも１つの参照信号（ＲＳ）シーケンスを含む少なくとも１つのＲＳを受信し、少なくとも１つのＲＳシーケンスと、少なくとも１つの時間機会と、に少なくとも部分的に基づいて、第２ネットワークノードの識別子を判定する様に構成された処理回路３８を含み、第２ネットワークノード１６ａの識別子は、少なくとも１つのＲＳシーケンスと、少なくとも１つの時間機会と、にマッピングされている。
【００８９】
本開示の１つ以上の実施形態によると、処理回路３８は、さらに、第２ネットワークノード１６ａの判定した識別子に少なくとも部分的に基づいて、少なくとも１つの遠隔干渉緩和アクションを実行する様に構成される。本開示の１つ以上の実施形態によると、処理回路３８は、少なくとも１つの遠隔干渉緩和アクションを実行した後、少なくとも１つのＲＳ信号が検出されるかを判定し、少なくとも１つのＲＳ信号が検出されていないと判定した場合、遠隔干渉緩和アクションを変更する様にさらに構成される。本開示の１つ以上の実施形態によると、第１ネットワークノード１６ｂは、第２ネットワークノード１６ａでの干渉の原因である攻撃ネットワークノード１６ｂである。
【００９０】
本開示の１つ以上の実施形態によると、識別子は、少なくとも１つのＲＳシーケンスと、少なくとも１つの時間機会と、から識別可能又は導出可能である。本開示の１つ以上の実施形態によると、少なくとも１つの時間機会は、少なくとも１つのＲＳが送信される無線フレームペアと、少なくとも１つのＲＳの少なくとも１つの無線フレームペア内の異なる時間機会と、の内の少なくとも１つに対応する。本開示の１つ以上の実施形態によると、時間機会は、ダウンリンク送信とアップリンク送信との切り替えがある少なくとも１つのスロットと、スロット内の固定された時間位置と、の内の少なくとも１つに対応する。
【００９１】
本開示の１つ以上の実施形態によると、少なくとも１つのＲＳシーケンスは、複数のＲＳシーケンスを含み、少なくとも１つの時間機会は、複数の時間機会を含む。本開示の１つ以上の実施形態によると、第２ネットワークノード１６ａの識別子は、複数のビットによって識別される。複数のビットの内の少なくとも第１ビットは、複数のＲＳシーケンスの内の第１ＲＳシーケンスと、複数の時間機会の内の第１時間機会と、に対応する。複数のビットの内の少なくとも第２ビットは、複数のＲＳシーケンスの内の第２ＲＳシーケンスと、複数の時間機会の内の第２時間機会と、に対応する。本開示の１つ以上の実施形態によると、少なくとも１つのＲＳシーケンスは、同じＲＳシーケンスであり、少なくとも１つの時間機会は、複数の時間機会を含む。同じＲＳシーケンスが、複数の時間機会の間のＲＳ送信において受信され得る。
【００９２】
被害ネットワークノード１６及び攻撃ネットワークノード１６での遠隔干渉識別のための配置を一般的に説明してきたが、これらの配置、機能及びプロセスの詳細が以下の様に提供され、１つ以上のネットワークノード１６、例えば、１６ａ、１６ｂ等によって実行され得る。
【００９３】
実施形態は、遠隔干渉識別のためのＲＳ構成及び送信を提供する。細かい時間周波数同期又はコヒーレントチャネル推定を必要とすることなく、通信チャネルを介して情報を伝達するための１つのアプローチは、利用可能な伝送リソースを、時間、周波数、及び／又はコード分割多重化パラメータを使用して、可能な（疑似）直交伝送位置のセットに分割することである。
【００９４】
特定のメッセージを伝達するために、送信機は送信位置の１つで信号を送信し、受信機は総ての可能な送信位置で信号の検出を試みる。受信機が送信信号を検出した送信位置に基づいて、特定のメッセージが伝達される。したがって、この方法で送信できる情報量は、ｌоｇ２Ｎビットであり、ここで、Ｎは時間／周波数／コードの送信位置の数である。本開示は、そのようなスキームを提供するが、ネットワークノード１６ａ（例えば、ｇＮＢ）セットＩＤをＲＩＭ−ＲＳ送信自体に符号化に柔軟に使用される様に修正される。すなわち、ネットワークノードセットＩＤは、ＲＩＭーＲＳに符号化され得る。例えば、１つ以上の実施形態において、ネットワークノードの識別子又は識別子に関連付けられた情報はＲＳの送信で伝達され、ここで、送信位置は時間／周波数／コード位置、すなわち無線リソースである。１つ以上の実施形態において、ネットワークノードの識別子と、ＲＳが送信されるリソースとの間にはマッピングが存在する。１つ以上の実施形態において、ネットワークノードの識別子は、ＲＳシーケンス及び／又はＲＳが送信されるリソースにマッピングされる。
【００９５】
１つ以上の実施形態において、ＲＳ送信のための１つ以上の方法が提供される。被害ネットワークノード１６ａ等の送信ネットワークノード１６は、ネットワークノードセットＩＤ及び参照信号送信フレームワーク構成から構成される参照信号構成を取得し得る。参照信号送信フレームワーク構成に基づいて、ネットワークノード１６ａは、ネットワークノードセットＩＤを、ＲＳシーケンス及びＲＩ軽減のためのＲＳが送信され得るＲＳ送信機会と、にマッピングするための情報を取得する（例えば、前述のＲＩＭフレームワークによる）。逆に、ＲＳ検出のための方法において、受信ネットワークノード１６ｂ、例えば、ｇＮＢは、検出されたＲＳのシーケンス及び時間機会に基づいて、送信機のネットワークノードセットＩＤを推測するために使用され得る参照信号送信フレームワーク構成を取得し得る。
【００９６】
本開示は、ネットワークが、ＲＳ送信機会及びシーケンスをネットワークノード１６に割り当てるための柔軟な方法を提供する。例えば、そのトポロジー及び適用されるＲＩ緩和スキームに応じて、特定のネットワーク実装は、より多くのネットワークノード１６をセットにグループ化し、セット内の総てのネットワークノード１６に対して同じＲＩＭ−ＲＳ構成を使用する一方、他のネットワーク実装は、個々のＲＩＭ−ＲＳ構成を個々のネットワークノード１６に割り当て得る。所望の効果は、本明細書に記載の実施形態によって達成され、ＲＳ送信機会及びシーケンスは、ネットワークノードセットＩＤ及び参照信号送信構成によってのみ明確に判定されるため、ネットワークノードセットＩＤ及び参照信号送信構成を取得することは、ネットワークノード１６ａが、ネットワークからその様な構成を受信することを含む。したがって、ネットワークは、１つ以上のネットワーク要素を介して、同じネットワークノードセットＩＤを複数のネットワークノード１６に柔軟に割り当てることができる、或いは、ネットワークは、異なるネットワークノードセットＩＤを個々のネットワークノード１６に割り当てることができる。
【００９７】
１つ以上の実施形態において、ＲＩＭ−ＲＳ機会は、各"特別スロット"、すなわち、ＤＬ／ＵＬスイッチが発生するスロットとして定義され得る。或いは、１つ以上の実施形態において、例えば、１つおきのＤＬ／ＵＬスイッチ毎の様に、ＤＬ／ＵＬスイッチのサブセットのみがＲＩＭ−ＲＳ機会を定義する。これは、非連結ＴＤＤ構成の場合、ＲＩＭ−ＲＳが各ＰｍｓのＴＤＤ周期内で送信され得る、１つの可能な時間機会があることを意味する。２つの連結されたＴＤＤ構成（Ｐ１＋Ｐ２ｍｓ）の場合、ＴＤＤ構成の１つがＤＬのみ（又はＵＬのみ）のシンボルを含むかどうかに応じて、１つ又は２つのＤＬ／ＵＬスイッチポイントが存在し得る。
【００９８】
被害ネットワークノード１６ａと攻撃ネットワークノード１６ｂとの間の伝播遅延を推定するために、被害ネットワークノード１６ａは、スロット内の固定位置でＲＳを送信し得る。この固定位置は、一部のＯＦＤＭシンボルにあり、事前定義、又は、ネットワークによって構成され得る。
【００９９】
したがって、ＲＩＭ−ＲＳ送信機会ごとに、単一ＲＳ（ＲＩＭ−ＲＳ設計の結果に応じて複数のＯＦＤＭシンボルに跨り得る）が、ネットワークノード１６ａによって送信され、ＲＳシーケンスセットのどのＲＳシーケンスが送信されたかの情報が符号化され得る。１つ以上の実施形態において、可能なＮｓｅｑ個のＲＩＭ−ＲＳシーケンスの内の１つが送信され、これは、ｌоｇ２Ｎｓｅｑビットの情報を伝達できる。Ｎｓｅｑ個の異なるシーケンスは、例えば、異なるシーケンス初期化シードを有するゴールドシーケンス、異なるグループ及びシーケンス番号を有するＺａｄｏｆｆ−Ｃｈｕシーケンス、又は、一般に、任意の事前定義されたシーケンスのセットから選択され得る。
【０１００】
ネットワークノードセットＩＤのＩＤ空間の要件、及び、特定のネットワークノードセットＩＤの２回の送信機会間の時間要件（ネットワークが遠隔干渉イベントにどれだけ迅速に適応できるかを決定する）に応じて、ネットワークノード１６ａに、後続のＲＳ送信機会において複数のＲＳを送信させることによって、より多くの情報ビットを伝達する必要があり、送信機会に送信される各ＲＳは、ネットワークノードセットＩＤの情報ビットの特定の部分を伝達する。これらの送信機会のそれぞれで送信されるＲＳシーケンスは、この送信機会にマッピングされた情報ビットに基づいて選択される、すなわち、これらの後続のＲＳ送信機会でのＲＳ送信のために異なるＲＳシーケンスが選択され得る。
【０１０１】
一実施形態において、異なる送信機会は、ネットワークノードセットＩＤの情報ビットの異なる部分を搬送する。１つ以上の実施形態において、異なる送信機会は、また、ネットワークノードセットＩＤの情報ビットの同じ部分を搬送できる、すなわち、ネットワークノードセットＩＤ情報は、構成に応じて、送信機会に渡ってある程度繰り返される。
【０１０２】
１つ以上の実施形態において、数Ｎ（ｇｒｏｕｐ）ＲＳの連続するＲＩＭ−ＲＳ送信の機会がＲＩＭ−ＲＳグループを形成する。次に、ネットワークノード１６ｂは、ＲＩを検出すると、隣接するＲＩＭ−ＲＳ送信機会にＮ（ｇｒｏｕｐ）ＲＳの後続ＲＩＭ−ＲＳを送信し、それぞれに別個のＲＳシーケンス選択を使用する。すなわち、送信機会に選択されるＲＳシーケンスは、このＲＳ送信で搬送される情報ビットの対応する部分の値に依存する（各送信機会によってネットワークノードセットＩＤの情報ビットの異なる部分を使用する場合を例にするとき）。ネットワークノードセットＩＤを復号するために、受信ネットワークノード１６ｂは、Ｎ（ｇｒｏｕｐ）ＲＳ個の送信されたＲＳのそれぞれを正しく検出する必要があり、したがって、情報のＮ（ｇｒｏｕｐ）ＲＳ×ｌоｇ２Ｎｓｅｑビットが、ＲＩＭ−ＲＳグループによって伝達され得る。
【０１０３】
代替の実施形態において、ＲＩＭ−ＲＳグループ内のＮ（ｇｒｏｕｐ）ＲＳ個のＲＩＭ−ＲＳ機会は、のＮ（ｇｒｏｕｐ）ＲＳ／Ｎｒｅｐ個の反復セットにさらにサブグループ化され、各反復セットは、同じＲＳシーケンスを使用して送信されるＮｒｅｐ個のＲＩＭ−ＲＳを含む。つまり、特定のシーケンスがＮｒｅｐ回だけ繰り返されるため、ＲＩＭ−ＲＳグループの送信によって、Ｎ（ｇｒｏｕｐ）ＲＳ／Ｎｒｅｐ個の異なるＲＳシーケンスが伝達され得る。言い換えると、同じＲＳシーケンスが、複数の時間機会、例えば、繰り返しセットのそれぞれにおいて繰り返される。これにより、受信機は特定のＲＳシーケンスが後続の幾つかの時間機会で繰り返されることを利用できるため、より高い検出信頼性を実現できる。
【０１０４】
したがって、１つ以上の実施形態において、ネットワークノードセットＩＤの一部は、ＲＩＭ−ＲＳグループ内の送信されるＲＳのＲＳシーケンスの選択において符号化される一方、ネットワークノードセットＩＤの残りの部分は、ＲＩＭ−ＲＳグループの時間位置において符号化される。したがって、ｇＮＢセットＩＤの一部と送信機会との間のマッピングが必要であるが、ＮＲのＴＤＤ構成は非常に柔軟であるため、これをどの様に行い得るかが明らかではない。例えば、ＮＲでは、３０ｋＨｚのＳＣＳを使用してサポートされる基本的なＴＤＤ周期は｛０．５，１，２，２．５，３，４，５，１０｝ｍｓである。これらのサブセットは、以下でさらに説明する様に、非連結及び連結ＴＤＤ周期性に対して選択され得る。
【０１０５】
３０ｋＨｚのＳＣＳを使用して許可される非連結ＴＤＤ周期性は、Ｐ∈｛０．５，１，２，２．５，４，５，１０｝ｍｓであるが、許可される連結ＴＤＤ周期性は、Ｐ１＋Ｐ２∈｛１，２，２．５，４，５，１０，２０｝ｍｓである。初期アクセス中にＳＳＢが存在するというＷＤの仮定に準拠するために、Ｐ１＋Ｐ２は、２０ｍｓを均等に分割する必要があるため、Ｐ１とＰ２の総ての組み合わせが許可されるわけではない。さらに、同じＴＤＤ構成の周期性を与える複数のＴＤＤ構成が存在し得る。例えば、５ミリ秒のＴＤＤ構成周期性は、５ミリ秒の周期性を持つ非連結ＴＤＤパターンと、Ｐ１＝２ｍｓ及びＰ２＝３ｍｓ、Ｐ１＝２．５ｍｓ及びＰ２＝２．５ｍｓ、又は、Ｐ１＝１ｍｓ及びＰ２＝４ｍｓの２つの連結ＴＤＤパターンによって構成され得る。したがって、連結ＴＤＤ構成を使用できるので、特定の期間に使用可能なＤＬ／ＵＬ切替ポイントの数を決定することは非常に複雑になる可能性がある。ただし、ＴＤＤ構成に拘わらず、総ての周期性は２０ミリ秒を超えて"リセット"される。したがって、２０ｍｓ間隔、つまり２つの１０ｍｓ無線フレームが参照ポイントとして使用され得る。
【０１０６】
これを考慮して、一実施形態では、２つの続く１０ｍｓの無線フレームを有する２０ｍｓの無線フレームペア（ＲＦＰ）が参照ポイントとして使用される。無線フレームペア内で、ネットワークは、Ｎｇｒｏｕｐ個のＲＩＭ−ＲＳグループを割り当てることができる様に構成され得る（ここで、各ＲＩＭ−ＲＳグループは、異なるネットワークノードセットＩＤに対応する）。実際に使用されるＴＤＤ構成、及び、ＲＩＭ−ＲＳグループ内のＲＩＭ−ＲＳの数に応じて、Ｎｇｒｏｕｐの可能な最大値が存在する。例えば、５ｍｓのＴＤＤ周期性を持つ非連結ＴＤＤ構成を想定し、Ｎ（ｇｒｏｕｐ）ＲＳ＝２，Ｎｇｒｏｕｐが１又は２のいずれかであると想定すると、１ｍｓのＴＤＤ周期性を有し、Ｎ（ｇｒｏｕｐ）ＲＳ＝１の非連結ＴＤＤ構成の場合、Ｎｇｒｏｕｐの値は１〜２０の範囲になる。
【０１０７】
他の実施形態において、ＲＳ機会が発生する間隔の構成は、構成パラメータによって決定され、複数のＴＤＤ周期性で発生する様に構成される。別の実施形態において、構成は、特定の期間に渡って発生する様に構成される。
【０１０８】
開示されたＲＩＭ  ＲＳ送信フレームワークの例示的な実施形態が、図１３及び図１４に示されている。
【０１０９】
次に、ネットワークノードセットＩＤ空間は、ＲＩＭ−ＲＳ送信のデューティサイクル、つまり、同じネットワークノードセットＩＤの２つのＲＩＭ−ＲＳグループ送信機会の間に発生するＲＦＰの数によって決定され得る。したがって、ＲＩＭ−ＲＳデューティサイクルは、Ｔｄｕｔｙ＝ＮＲＦＰ×２０×１０−３ｓとして定義される、つまり、ＮＲＦＰ個の無線フレームペアで構成される。
【０１１０】
次に、パラメータ（Ｎｓｅｑ，Ｎ（ｇｒｏｕｐ）ＲＳ，Ｎｇｒｏｕｐ，ＮＲＦＰ）がＲＩＭ−ＲＳ送信フレームワークを定義し、異なるＲＩＭ−ＲＳグループに、ＮｇｒｏｕｐＮＲＦＰ個の送信機会があるが、ＲＩＭ−ＲＳグループには、
【数１】
2022501937.tif 000005
個の異なる可能なＲＳシーケンスの組み合わせがある。これにより、
【数２】
2022501937.tif 000006
個のネットワークノードセットＩＤ、つまり、
【数３】
2022501937.tif 000007
が可能になる。
【０１１１】
パラメータ（Ｎｓｅｑ，Ｎ（ｇｒｏｕｐ）ＲＳ，Ｎｇｒｏｕｐ，ＮＲＦＰ）は、幾つかの実施形態においては、参照信号送信フレームワーク構成を構成し、ＲＩＭ−ＲＳ送受信のためにネットワークによってネットワークノード１６に構成され得る。
【０１１２】
本明細書で説明する様に既存のシステムを修正することによって、シーケンス及び送信機会をネットワークノードセットＩＤにどの様に符号化することができるかの例を以下に示す。
【０１１３】
例示的な符号化
−無線フレームペアインデックスｉＲＦＰ∈｛０，・・・，ＮＲＦＰ−１｝は、ＲＩＭ−ＲＳ送信用に割り当てられた無線フレームに、
【数４】
2022501937.tif 000008
としてマッピングされる。つまり、続くシステムフレーム番号（ＳＦＮ）を有する２つの隣接する無線フレームは、２ＮＲＦＰ個の無線フレーム毎に割り当てられる。
−グループインデックスｉｇｒｏｕｐ∈｛０，・・・，Ｎｇｒｏｕｐ−１｝は、無線フレームペア内で割り当てられたＲＩＭ−ＲＳグループを定義する。
−ＲＩＭ−ＲＳシーケンスＩＤ
【数５】
2022501937.tif 000009
のセットは、ＲＩＭ−ＲＳグループ内の各ＲＩＭ−ＲＳ送信機会に割り当てられたＲＩＭ−ＲＳシーケンスを定義し、ここで、ｉ（ｋ）ｓｅｑ＝｛０，・・・，Ｎｓｅｑ−１｝，ｋ＝０，・・・，Ｎ（ｇｒｏｕｐ）ＲＳ−１である。
−上記のインデックスは、ネットワークノードセットＩＤに、
【数６】
2022501937.tif 000010
として、又は、インデックス
【数７】
2022501937.tif 000011
をネットワークノードセットＩＤの様々な情報ビットに直接マッピングすることにより、マッピングされる。
【０１１４】
ネットワークノードセットＩＤの特定の最大ＩＤ空間が与えられると、設計パラメータは、コード、周波数及び時間領域の間で送信位置を分割する方法に対応する。ネットワークノード１６ａの識別子は、１つ以上のＲＳシーケンス及び／又は１つ以上の時間機会等の１つ以上のパラメータによって定義される構成にマッピングされ得る。言い換えると、これは、本明細書で説明する様に、ネットワークノード１６ａの識別子と、１つ以上のＲＳシーケンス及び少なくとも１つのＲＳの送受信に使用される無線リソースとの間のマッピングである。
【０１１５】
ＲＳ機会の全体的なセット及びその物理的リソースへのマッピングを決定するための上記のパラメータのそれぞれは、仕様で事前に定義され得るか、ネットワークノード１６ａごとに構成可能であることに留意されたい。さらに、仕様において、最終的に総てのパラメータが使用されるとは限らない。例えば、Ｎｇｒｏｕｐが常に１に設定されていると仮定すると、このパラメータを仕様に記述する必要はない。これは、上記のパラメータのいずれにも当てはまる可能性がある。
【０１１６】
幾つかの実施形態において、より多くのコード領域ロケーションが割り当てられ、これにより、特定のネットワークノード１６ａの可能な送信機会が時間的に軽く又は密になり、したがって、ネットワーク内の総てのネットワークノード１６を構成するのにかかる時間が短くなり、特にＲＩＭ−ＲＳのマルチショット検出が必要な場合、攻撃ネットワークノード１６ｂに適用されるＲＩＭ緩和メカニズムの遅延を低減させ得る。
【０１１７】
別の実施形態において、ネットワークノード１６ａは、送信機会ごとにより少ないシーケンスを検出することを試みる必要があるので（さらに、検出確率が増加する）、検出の複雑さを軽減するために、より多くの時間領域位置が割り当てられる。
【０１１８】
別の実施形態において、２つ以上のＲＳシーケンスが同じ時間領域機会に送信され、全送信帯域幅の重複しない部分を占め、これは、ＲＩＭ緩和メカニズムの反応時間を短縮し得る。
【０１１９】
２つ以上のＲＳシーケンスが同じ時間領域機会に送信され、全送信帯域幅の重複しない部分を占める他の実施形態において、周波数領域における送信機会の位置は、情報の追加ビットを伝達することを可能にし、ここで、伝達されるビットの総数はＮ（ｇｒｏｕｐ）ＲＳ×ｌоｇ２Ｎｓｅｑ×ｌоｇ２Ｎｂｗｐである。Ｎｂｗｐは、合計送信帯域幅が分割される部分の数であり、ここで、各帯域幅部分（ＢＷＰ）は、１つのＲＳシーケンスの送信に割り当てられる。
【０１２０】
別の実施形態において、被害ネットワークノード１６が所属するコアネットワークノードのＩＤ等、被害ネットワークノード１６への追加の識別子又は参照を伝達するために、より多くの時間、周波数、及び、コード領域の位置が割り当てられる。これらの追加ＩＤの知識により、ＲＩＭ緩和メカニズムの反応時間が短縮され得る。
【０１２１】
幾つかの例
例１．遠隔干渉識別のための１つ以上の参照信号（ＲＳ）を送信するネットワークノード１６ａによって実行される方法であって、
ａ）ＲＳ送信構成を取得することと、
ｂ）ＲＳ送信構成に基づいて、１つ以上のＲＳそれぞれのＲＳシーケンスを判定することと、
ｃ）ＲＳ送信構成に基づいて、１つ以上のＲＳそれぞれの時間における送信機会を判定することと、
ｄ）判定した送信機会において、判定したＲＳシーケンスを使用して１つ以上のＲＳを送信することと、
を含む方法。
【０１２２】
例２．例１に記載の方法であって、時間における送信機会を判定することは、無線フレームペアを判定することを含み、１つ以上の参照信号の総てが送信される、方法。
【０１２３】
例３．例２に記載の方法であって、時間における送信機会を判定することは、１つ以上のＲＳそれぞれの判定した無線フレームペア内の異なる時間機会を判定することを追加的に含む、方法。
【０１２４】
例４．例１に記載の方法であって、ＲＳ送信構成を取得することは、ネットワークノード（ｇＮＢ）セット識別子を取得することを含む、方法。
【０１２５】
例５．例４に記載の方法であって、ＲＳ送信構成を取得することは、ＲＳ送信フレームワーク構成を取得することを追加的に含む、方法。
【０１２６】
例Ａ１．遠隔干渉識別のための少なくとも１つの参照信号（ＲＳ）を送信するネットワークノード１６ａであって、
ＲＳ送信構成を取得し、
ＲＳ送信構成に基づいて、少なくとも１つのＲＳの少なくとも１つのＲＳシーケンスを判定し、
ＲＳ送信構成に基づいて、少なくとも１つの時間における送信機会を判定し、ここで、少なくとも１つのＲＳシーケンス及び少なくとも１つの時間における送信機会は、ネットワークノードセット識別子に対応し、
ネットワークノードセット識別子に基づいて、遠隔干渉識別のために少なくとも１つのＲＳを送信し、ここで、少なくとも１つのＲＳは、判定された少なくとも１つのＲＳシーケンス及び少なくとも１つの時間における送信機会に従って送信される、様に構成されているネットワークノード、及び／又は、その様に構成されている無線インタフェース３２及び／又は処理回路３８を含む、ネットワークノード。
【０１２７】
例Ａ２．例Ａ１に記載のネットワークノード１６ａであって、少なくとも１つの時間における送信機会を判定することは、
少なくとも１つのＲＳが送信される無線フレームペアを判定することと、
少なくとも１つのＲＳそれぞれの判定した無線フレームペア内の異なる時間機会を判定することと、
の内の少なくとも１つを含むネットワークノード。
【０１２８】
例Ａ３．例Ａ１に記載のネットワークノード１６ａであって、ＲＳ送信構成を取得することは、
ネットワークノードセット識別子を取得することと、
ＲＳ送信フレームワーク構成を取得することと、
の内の少なくとも１つを含むネットワークノード。
【０１２９】
例Ｂ１．遠隔干渉識別のための少なくとも１つの参照信号（ＲＳ）を送信するネットワークノード１６ａによって実行される方法であって、
ＲＳ送信構成を取得することと、
ＲＳ送信構成に基づいて、少なくとも１つのＲＳの少なくとも１つのＲＳシーケンスを判定することと、
ＲＳ送信構成に基づいて、少なくとも１つの時間における送信機会を判定することであって、少なくとも１つのＲＳシーケンス及び少なくとも１つの時間における送信機会は、ネットワークノードセット識別子に対応する、判定することと、
ネットワークノードセット識別子に基づいて遠隔干渉識別のための少なくとも１つのＲＳを送信することであって、少なくとも１つのＲＳは、判定された少なくとも１つのＲＳシーケンス及び少なくとも１つの時間における送信機会に従って送信される、送信することと、
を含む方法。
【０１３０】
例Ｂ２．例Ｂ１に記載の方法であって、少なくとも１つの時間における送信機会を判定することは、
少なくとも１つのＲＳが送信される無線フレームペアを判定することと、
少なくとも１つのＲＳそれぞれの判定した無線フレームペア内の異なる時間機会を判定することと、
の内の少なくとも１つを含む方法。
【０１３１】
例Ｂ３．例Ｂ１に記載の方法であって、ＲＳ送信構成を取得することは、
ネットワークノードセット識別子を取得することと、
ＲＳ送信フレームワーク構成を取得することと、
の内の少なくとも１つを含む方法。
【０１３２】
例Ｃ１．遠隔干渉識別のための少なくとも１つの参照信号（ＲＳ）を受信するネットワークノード１６ｂであって、
少なくとも１つのＲＳシーケンス及び少なくとも１つの時間における送信機会に基づくネットワークノードセット識別子に対応する、遠隔干渉識別のための少なくとも１つのＲＳを受信し、
受信した少なくとも１つのＲＳに基づいて、ネットワークノードセット識別子を判定し、
ネットワークノードセット識別子に基づいて、少なくとも１つのアクションを実行する様に構成されているネットワークノード、及び／又は、その様に構成されている無線インタフェース３２及び／又は処理回路３８を含む、ネットワークノード。
【０１３３】
例Ｃ２． 例Ｃ１に記載のネットワークノード１６ａであって、少なくとも１つの時間における送信機会は、
少なくとも１つのＲＳが送信される無線フレームペアと、
少なくとも１つのＲＳそれぞれの判定した無線フレームペア内の異なる時間機会を判定することと、
の内の少なくとも１つに基づく、方法。
【０１３４】
例Ｃ３．例Ｃ１に記載のネットワークノード１６ａであって、ＲＳ送信構成は、
ネットワークノードセット識別子と、
ＲＳ送信フレームワーク構成と、
の内の少なくとも１つに基づく、方法。
【０１３５】
例Ｃ４．例Ｃ１に記載のネットワークノード１６ａであって、少なくとも１つのアクションは、別のネットワークノード１６ｂとのバックフォール通信を確立することを含む。方法。
【０１３６】
例Ｄ１．遠隔干渉識別のための少なくとも１つの参照信号（ＲＳ）を受信するネットワークノード１６ｂによって実行される方法であって、
少なくとも１つのＲＳシーケンス及び少なくとも１つの時間における送信機会に基づくネットワークノードセット識別子に対応する、遠隔干渉識別のための少なくとも１つのＲＳを受信することと、
受信した少なくとも１つのＲＳに基づいて、ネットワークノードセット識別子を判定することと、
ネットワークノードセット識別子に基づいて、少なくとも１つのアクションを実行することと、
を含む方法。
【０１３７】
例Ｄ２．例Ｄ１に記載の方法であって、少なくとも１つの時間における送信機会は、
少なくとも１つのＲＳが送信される無線フレームペアと、
少なくとも１つのＲＳそれぞれの判定した無線フレームペア内の異なる時間機会を判定することと、
の内の少なくとも１つに基づく、方法。
【０１３８】
例Ｄ３．例Ｄ１に記載の方法であって、ＲＳ送信構成は、
ネットワークノードセット識別子と、
ＲＳ送信フレームワーク構成と、
の内の少なくとも１つに基づく、方法。
【０１３９】
例Ｄ４．例Ｄ１に記載の方法であって、少なくとも１つのアクションは、別のネットワークノード１６ｂとのバックフォール通信を確立することを含む、方法。
【０１４０】
提案した解決策の標準化
以下の付録は、提案した解決策の特定の側面が、特定の通信規格のフレームワーク内でどの様に実装されるかについての非限定的な例を提供する。特に、この付録は、３ＧＰＰＴＳＧ  ＲＡＮ標準のフレームワーク内で提案した解決策がどの様に実装され得るかについての非限定的な例を提供する。付録に記載された変更は、単に、提案した解決策が特定の規格においてどの様に実装され得るかを示すことを意図するものである。しかしながら、提案した解決策は、３ＧＰＰ仕様及び他の仕様又は規格の両方において、他の適切な方法で実装され得る。
【０１４１】
付録
前書き
ＲＡＮ１＃９４議長ノートにおいて、スウェーデン、ヨーテボリでのＲＡＮ１＃９４では、ＲＩＭフレームワークに関して議論が行われ、３ＧＰＰ  ＴＲ３８．８６６で４つの異なるフレームワークをキャプチャすることが合意された。これらのフレームワークはすべて、被害ｇＮＢが、ＲＩの検出により、被害側にＲＩを引き起こしていることを攻撃ｇＮＢに通知するために、ＲＩＭ−ＲＳ送信を実行することに依存している。これらのフレームワークのうちの２つ、フレームワーク２−１及び２−２は、送信されたＲＩＭ−ＲＳが受信されたことを被害側に通知するための、攻撃側から被害側へのバックホールシグナリングに依存している。したがって、これらのフレームワークの場合、ＲＩＭ−ＲＳ送信は、バックホールリンク確立のために被害ｇＮＢの識別情報を搬送しなければならない。複数の被害ｇＮＢが同じＲＩＭ−ＲＳを共有するｇＮＢのセットを形成する可能性があるため、ＲＩＭ−ＲＳ送信はｇＮＢセットＩＤを伝達しなければならない。
【０１４２】
さらに、ＲＡＮ１＃９４では、ＤＬ−ＵＬ送信周期内の最大ＤＬ送信境界及び最大ＵＬ受信境界のネットワーク内での共通の理解を想定できることも合意された。
【０１４３】
合意：
図１５（ａ）〜（ｃ）に示す様に、ＲＩＭの調査では、同期されたマクロセルを備えたネットワーク全体が、ＤＬ送信の終了境界を示すＤＬ送信境界（第１参照ポイントとして示される）と、ＤＬ−ＵＬ送信周期内で最初に許可されたＵＬ受信の開始境界を示すＵＬ受信境界（第２参照ポイントとして示される）について共通の理解を有することが想定されている。
・境界がＲＳ設計に考慮され得る。
・第１参照ポイントは、第２参照ポイントの前に位置する。
【０１４４】
議論
細かい時間周波数同期又はコヒーレントチャネル推定を必要とすることなく、通信チャネルを介して情報を伝達するための最も堅牢なアプローチは、時間、周波数及び／又はコード分割多重化を使用して、利用可能な伝送リソースを可能な（疑似）直交伝送位置のセットに分割することである。特定のメッセージを伝達するために、送信機は送信位置の１つで信号を送信し、受信機は総ての可能な送信位置で信号の検出を試みる。受信機が送信信号を検出した送信位置に基づいて、特定のメッセージが伝達される。したがって、この方法で送信できる情報量は、ｌоｇ２Ｎビットであり、ここで、Ｎは時間／周波数／コードの送信位置の数である。このようなスキームを使用して、ｇＮＢセットＩＤをＲＳ送信自体に符号化することができる。
【０１４５】
ネットワークがＲＳ送信機会及びシーケンスをｇＮＢに割り当てるための柔軟な方法が望まれている。そのため、ＲＡＮ１＃９４で、ＲＳ送信は、ｇＮＢ  ＩＤ、セルＩＤ又はそれらに等価なものではなく"ｇＮＢセットＩＤ"を搬送し得ると決定された。例えば、そのトポロジー及び適用されるＲＩＭ緩和スキームに応じて、特定のネットワーク実装は、より多くのｇＮＢをセットにグループ化し、セット内の総てのｇＮＢに対して同じＲＩＭ−ＲＳ構成を使用する一方、他のネットワーク実装は、個々のＲＩＭ−ＲＳ構成を個々のｇＮＢに割り当てることが望ましいことが分かった。ただし、ネットワーク構成によるｇＮＢのグループ化は、個々のｇＮＢに対して透過的である必要があり、ＲＩＭ−ＲＳ送信構成は、たとえばコアネットワークによってｇＮＢに構成できるｇＮＢセットＩＤのみに依存する必要がある。
【０１４６】
提案１：ＲＩＭ−ＲＳ送信構成は、"ｇＮＢセットＩＤ"のみに依存する。
【０１４７】
ｇＮＢセットＩＤの特定の最大ＩＤ空間が与えられると、次の疑問は、送信位置を、コード、周波数及び時間領域の間でどの様に分割するかである。より多くの時間領域位置が割り当てられている場合、特定のｇＮＢの可能な送信機会は時間的にまばらになり、したがって、ネットワーク内の総てのｇＮＢをサウンドするのにかかる時間が長くなり、特に、ＲＩＭ−ＲＳのマルチショット検出が必要な場合、ＲＩＭ緩和メカニズムが攻撃側に適用されるまでの遅延を増加させる。一方、より多くのコード領域位置が割り当てられている場合、ｇＮＢは、送信機会ごとにより多くのシーケンスを検出することを試みる必要があるので検出の複雑さが増加する（さらに、検出確率が低減する）。したがって、ｇＮＢセットＩＤのＲＩＭ−ＲＳ送信構成への固定マッピングを使用できるかどうかは明らかではない。代わりに、ＲＩＭ−ＲＳ送信を各ネットワーク実装のニーズに合わせて調整できる様に、いくつかの構成可能性を導入することが有益である。
【０１４８】
提案２：ＲＩＭ−ＲＳ送信は、様々なネットワーク実装に合わせて調整できる様に構成可能にすべきである。
【０１４９】
提案するＲＩＭ−ＲＳ送信フレームワーク
ＲＡＮ１＃９４での議論に基づくと、ＲＩＭ−ＲＳは"特別なスロット"、つまりＤＬ／ＵＬ切替が発生するところで送信されるべきことが共通の理解となっている様に思われる。被害ｇＮＢと攻撃ｇＮＢとの間の伝播遅延を推定するために、被害側は、スロット内の固定位置でＲＳを送信すべきである。この固定位置は、以前に合意された第１参照ポイントの直前のＯＦＤＭシンボル、つまり、ネットワーク内の共通の理解は、ＤＬ／ＵＬ切替が発生する"特別なスロット"でＤＬを搬送できる最後のＯＦＤＭシンボルである。
【０１５０】
提案３：ＲＩＭ−ＲＳは、第１参照ポイント（ＤＬ送信境界）の直前のＯＦＤＭシンボルで送信される。
【０１５１】
これは、非連結ＴＤＤ構成の場合、ＲＩＭ−ＲＳが各ＰｍｓのＴＤＤ周期内で送信され得る、１つの可能な時間機会があることを意味する。２つの連結されたＴＤＤ構成（Ｐ１＋Ｐ２ｍｓ）の場合、ＴＤＤ構成の１つが、ＤＬのみ（又はＵＬのみ）のシンボルを含むかどうかに応じて、１つ又は２つのＤＬ／ＵＬｌ切替ポイントが存在し得る。
【０１５２】
提案４：Ｐｍｓ又はＰ１＋Ｐ２ｍｓＴＤＤ周期内の各ＤＬ／ＵＬ切替ポイントは、時間における可能なＲＩＭ−ＲＳ送信機会を構成する。
【０１５３】
ＲＩＭ−ＲＳ送信機会ごとに、単一ＲＳ（ＲＩＭ−ＲＳ設計の結果に応じて複数のＯＦＤＭシンボルに跨り得る）が、ｇＮＢによって送信され、どのＲＳシーケンスが送信されるかの情報が符号化され得る。Ｎｓｅｑ個の可能なＲＩＭ−ＲＳシーケンスの内の１つが送信され、これは、ｌоｇ２Ｎｓｅｑビットの情報を伝達できることが想定され得る。Ｎｓｅｑの値は、ネットワークで構成可能であるべきである。
【０１５４】
提案５：ＲＩＭ−ＲＳ送信機会において、Ｎｓｅｑ個のＲＩＭ−ＲＳシーケンスの内の１つを送信でき、ここで、Ｎｓｅｑは、ネットワークによって構成可能である。
【０１５５】
ｇＮＢセットＩＤのＩＤ空間の要件、及び、特定のｇＮＢセットの２回の送信機会間の時間要件（ネットワークが遠隔干渉イベントにどれだけ迅速に適応できるかを決定する）に応じて、ｇＮＢに、後続のＲＳ送信機会に、各ＲＳが異なるシーケンスを使用する複数のＲＳを送信させることによって、より多くの情報ビットを伝達する必要がある。よって、Ｎ（ｇｒｏｕｐ）ＲＳ個の連続するＲＩＭ−ＲＳ送信機会がＲＩＭ−ＲＳグループを形成することを提案する。次に、ｇＮＢは、ＲＩの検出時に、それぞれが別個のＲＳシーケンスを使用して、隣接するＲＩＭ−ＲＳ送信の機会にＮ（ｇｒｏｕｐ）ＲＳ個の続くＲＩＭ−ＲＳを送信する。ｇＮＢ  ＩＤを復号するために、受信ｇＮＢは、Ｎ（ｇｒｏｕｐ）ＲＳ個の送信されたＲＳのそれぞれを首尾よく検出する必要があり、したがって、Ｎ（ｇｒｏｕｐ）ＲＳ×ｌоｇ２Ｎｓｅｑビットの情報が伝達され得る。
【０１５６】
提案６：Ｎ（ｇｒｏｕｐ）ＲＳ個の連続するＲＩＭ−ＲＳ送信機会がＲＩＭ−ＲＳグループを構成する。ｇＮＢセットは、機会ごとに個別のシーケンスを使用し、ＲＩＭ−ＲＳグループの総ての機会にＲＩＭ−ＲＳを送信する。
【０１５７】
したがって、ｇＮＢセットＩＤの一部は、ＲＩＭ−ＲＳグループ内の送信されたＲＳのＲＳシーケンスの選択において符号化される一方、ｇＮＢセットＩＤの残りの部分は、ＲＩＭ−ＲＳグループの時間位置において符号化され得る。したがって、ｇＮＢセットＩＤの一部と送信機会との間のマッピングが必要であるが、ＮＲのＴＤＤ構成は非常に柔軟であるため、これをどの様に行い得るかは明らかではない。
【０１５８】
一例として、３０ｋＨｚのＳＣＳを使用して許可される非連結ＴＤＤ周期性は、Ｐ∈｛０．５，１，２，２．５，５，１０｝ｍｓであるが、許可される連結ＴＤＤ周期性は、Ｐ１＋Ｐ２∈｛１，２，２．５，４，５，１０，２０｝ｍｓである。初期アクセス中にＳＳＢが存在するというＵＥの仮定に準拠するために、Ｐ１＋Ｐ２は、２０ｍｓを均等に分割する必要があるため、Ｐ１とＰ２の総ての組み合わせが許可されるわけではない。したがって、特に、連結ＴＤＤ構成を使用できることにより、特定の期間に使用可能なＤＬ／Ｕｌ切替ポイントの数を決定することは非常に複雑になり得る。ただし、ＴＤＤ構成に拘わらず、総ての周期性は２０ミリ秒を超えて"リセット"される。したがって、２０ｍｓ間隔、つまり２つの１０ｍｓ無線フレームが参照ポイントとして使用され得る。
【０１５９】
観察１：総てのＮＲのＴＤＤ周期性は２０ミリ秒を均等に分割する必要があるため、ＴＤＤ構成に拘わらず、可能なＲＩＭ−ＲＳ送信機会を導出するために、２０ミリ秒の時間間隔が参照ポイントとして使用され得る。
【０１６０】
よって、２つの続く１０ミリ秒無線フレームで構成される２０ミリ秒の無線フレームペア（ＲＦＰ）を参照ポイントとして使用することを提案する。無線フレームペア内で、ネットワークは、Ｎｇｒｏｕｐ個のＲＩＭ−ＲＳグループを割り当てることができる様に構成され得る（ここで、各ＲＩＭ−ＲＳグループは異なるｇＮＢセットに対応する）。使用される実際のＴＤＤ構成、及び、ＲＩＭ−ＲＳグループ内のＲＩＭ−ＲＳの数に応じて、Ｎｇｒｏｕｐの可能な最大値が存在する。たとえば、５ミリ秒のＴＤＤ周期性が使用され、Ｎ（ｇｒｏｕｐ）ＲＳ＝２の場合、Ｎｇｒｏｕｐは１又は２のいずれかであるが、１ミリ秒のＴＤＤ周期性及びＮ（ｇｒｏｕｐ）ＲＳ＝１の場合、Ｎｇｒｏｕｐの値は１から２０の範囲になる。
【０１６１】
提案７：無線フレームペアを２つの連続する無線フレームとして定義する。各無線フレームペアは、ネットワークによって構成可能なＮｇｒｏｕｐ個の連続したＲＩＭ−ＲＳグループを含む。
【０１６２】
提案するＲＩＭＲＳ送信フレームワークを図１６及び図１７に示す。
【０１６３】
この場合、Ｎ（ｇｒｏｕｐ）ＲＳ＝２及びＮｇｒｏｕｐ＝３である。
【０１６４】
次に、ｇＮＢセットＩＤ空間は、ＲＩＭ−ＲＳ送信のデューティサイクル、つまり、同じｇＮＢセットの２つのＲＩＭ−ＲＳ送信機会の間に発生するＲＦＰの数によって決定され得る。
【０１６５】
提案８：ＲＩＭ−ＲＳデューティサイクルを、Ｔｄｕｔｙ＝ＮＲＦＰ×２０×１０−３ｓとして定義、つまり、ＮＲＦＰ個の無線フレームペアで構成されると定義する。
【０１６６】
この様に、パラメータ（Ｎｓｅｑ，Ｎ（ｇｒｏｕｐ）ＲＳ，Ｎｇｒｏｕｐ，ＮＲＦＰ）がＲＩＭ−ＲＳ送信フレームワークを定義し、ＲＩＭ−ＲＳグループに、ＮｇｒｏｕｐＮＲＦＰの送信機会があるが、ＲＩＭ−ＲＳグループには、
【数８】
2022501937.tif 000012
個の異なる可能なＲＳシーケンスの組み合わせがある。これにより、
【数９】
2022501937.tif 000013
個のｇＮＢセットＩＤ、つまり、
【数１０】
2022501937.tif 000014
が可能になる。
【０１６７】
提案９：パラメータ（Ｎｓｅｑ，Ｎ（ｇｒｏｕｐ）ＲＳ，Ｎｇｒｏｕｐ，ＮＲＦＰ）は、ＲＩＭ−ＲＳフレームワーク構成を構成し、ＲＩＭ−ＲＳ送受信のためにネットワークによってｇＮＢに構成される。
【０１６８】
このフレームワークを使用して、シーケンス及び送信機会をｇＮＢセットＩＤにどの様に符号化することができるかの例を以下に示す。
【０１６９】
例示的な符号化：
・無線フレームペアインデックスｉＲＦＰ∈｛０，・・・，ＮＲＦＰ−１｝は、ＲＩＭ−ＲＳ送信用に割り当てられた無線フレームに、
【数１１】
2022501937.tif 000015
としてマッピングされる。つまり、続くシステムフレーム番号（ＳＦＮ）を有する２つの隣接する無線フレームは、２ＮＲＦＰ個の無線フレーム毎に割り当てられる。
・グループインデックスｉｇｒｏｕｐ∈｛０，・・・，Ｎｇｒｏｕｐ−１｝は、無線フレームペア内で割り当てられたＲＩＭ−ＲＳグループを定義する。
・ＲＩＭ−ＲＳシーケンスＩＤ
【数１２】
2022501937.tif 000016
のセットは、ＲＩＭ−ＲＳバースト内の各ＲＩＭ−ＲＳ送信機会に割り当てられたＲＩＭ−ＲＳシーケンスを定義し、ここで、ｉ（ｋ）ｓｅｑ＝｛０，・・・，Ｎｓｅｑ−１｝，ｋ＝０，・・・，Ｎ（ｇｒｏｕｐ）ＲＳ−１である。
・上記のインデックスは、ｇＮＢセットＩＤに
【数１３】
2022501937.tif 000017
として、又はインデックス
【数１４】
2022501937.tif 000018
をｇＮＢセットＩＤの様々なビットに直接マッピングすることにより、マッピングされる。
【０１７０】
ＩＤ空間の例：
−ＴＤＤ周期性＝２．５ｍｓ
−ＴＤＤ周期毎に１つの切り替えポイント
−これにより、１つのＲＦＰ内で８回のＲＩＭ−ＲＳ送信が発生し、それらは分割されて実行される。
−Ｎｇｒｏｕｐ＝３
−Ｎ（ｇｒｏｕｐ）ＲＳ＝２
−ＲＳシーケンスの数はＮｓｅｑ＝８であると想定。
−ＲＳの周期性は３０ｓと想定されているため、ＮＲＦＰ＝１５００である。
−これにより、
【数１５】
2022501937.tif 000019
のｇＮＢセットＩＤ（１９ビットで搬送あれる）が発生する。
【０１７１】
結論
上記セクションにおいて、以下の観察が行われた。
【０１７２】
観察１：総てのＮＲ  ＴＤＤ周期性は２０ミリ秒を均等に分割する必要があるため、ＴＤＤ構成に拘わらず、可能なＲＩＭ−ＲＳ送信機会を導出するために、２０ミリ秒の時間間隔が参照ポイントとして使用され得る。
【０１７３】
上記セクションでの議論に基づいて、以下を提案する。
提案１：ＲＩＭ−ＲＳ送信構成は、"ｇＮＢセットＩＤ"のみに依存する。
提案２：ＲＩＭ−ＲＳ送信は、様々なネットワーク実装に合わせて調整できる様に構成可能にすべきである。
提案３：ＲＩＭ−ＲＳは、第１参照ポイント（ＤＬ送信境界）の直前のＯＦＤＭシンボルで送信される。
提案４：Ｐｍｓ又はＰ１＋Ｐ２ｍｓのＴＤＤ周期内の各ＤＬ／ＵＬ切替ポイントは、時間における可能なＲＩＭ−ＲＳ送信機会を構成する。
提案５：ＲＩＭ−ＲＳ送信の機会において、Ｎｓｅｑ個のＲＩＭ−ＲＳシーケンスのうちの１つを送信でき、ここで、Ｎｓｅｑは、ネットワークによって構成可能である。
提案６：ＮＲＳ（グループ）個の連続するＲＩＭ−ＲＳ送信機会がＲＩＭ−ＲＳグループを構成する。ｇＮＢセットは、機会ごとに個別のシーケンスを使用し、ＲＩＭ−ＲＳグループの総ての機会にＲＩＭ−ＲＳを送信する。
提案７：無線フレームペアを２つの連続する無線フレームとして定義する。各無線フレームペアは、ネットワークによって構成可能なＮｇｒｏｕｐ個の連続したＲＩＭ−ＲＳグループを含む。
提案８：ＲＩＭ−ＲＳデューティサイクルを、Ｔｄｕｔｙ＝ＮＲＦＰ×２０×１０−３ｓとして定義、つまり、ＮＲＦＰ個の無線フレームペアで構成されると定義する。
提案９：パラメータ、（Ｎｓｅｑ，ＮＲＳ（ｇｒｏｕｐ），Ｎｇｒｏｕｐ，ＮＲＦＰ）は、ＲＩＭ−ＲＳフレームワーク構成を構成し、ＲＩＭ−ＲＳ送受信のためにネットワークによってｇＮＢに構成される。
【０１７４】
当業者には理解される様に、本明細書に記載の概念は、方法、データ処理システム、コンピュータプログラム製品及び／又は実行可能なコンピュータプログラムを含むコンピュータ格納媒体として具現化することができる。したがって、本明細書で説明される概念は、完全にハードウェアの実施形態、完全にソフトウェアの実施形態、又は、本明細書で一般に"回路"又は"モジュール"として参照しているソフトウェア及びハードウェアの態様を組み合わせた実施形態の形を取り得る。本明細書に記載の任意のプロセス、ステップ、アクション、及び／又は機能は、ソフトウェア及び／又はファームウェア及び／又はハードウェアに実装され得る対応するモジュールによって実行され、及び／又は関連付けられ得る。さらに、本開示は、コンピュータによって実行され得る、媒体内に具現化されたコンピュータプログラムコードを有する有形のコンピュータ使用可能記憶媒体上のコンピュータプログラム製品の形をとることができる。ハードディスク、ＣＤ−ＲＯＭ、電子記憶デバイス、光記憶デバイス、又は、磁気記憶デバイスを含む任意の適切な有形のコンピュータ可読記憶媒体を利用することができる。
【０１７５】
幾つかの実施形態は、方法、システム及びコンピュータプログラム製品のフローチャート図及び／又はブロック図を参照して本明細書で説明される。フローチャート図及び／又はブロック図の各ブロック、ならびにフローチャート図及び／又はブロック図内のブロックの組み合わせは、コンピュータプログラム命令によって実施できることが理解されよう。これらのコンピュータプログラム命令は、汎用コンピュータ（それによって専用コンピュータを作成する）、専用コンピュータ、又は、他のプログラム可能なデータ処理装置のプロセッサに提供されて、コンピュータ又は他のプログラム可能なデータ処理装置のプロセッサを介して命令を実行することで、フローチャート及び／又はブロック図に特定された機能／動作を実施するための手段を作成する。
【０１７６】
これらのコンピュータプログラム命令は、また、コンピュータ可読メモリ又は可読媒体に格納され、コンピュータ又は他のプログラム可能なデータ処理装置に特定の方法で機能する様に指示することができ、コンピュータ可読メモリに格納された命令は、フローチャート及び／又はブロック図において特定された機能／動作を実施する命令手段を含む製造品を作り出す。
【０１７７】
また、コンピュータプログラム命令は、コンピュータ又は他のプログラム可能なデータ処理装置にロードされて、コンピュータ又は他のプログラム可能な装置上で実行される一連の動作ステップによって、コンピュータ上で実行される命令が実行され、コンピュータ又は他のプログラム可能な装置が実行する命令は、フローチャート及び／又はブロック図で特定された機能／動作を実施するためのステップを提供する。
【０１７８】
ブロックに示されている機能／動作は、動作説明図に示されている順序とは異なる順序で行われてもよいことを理解されたい。例えば、関連する機能／動作に応じて、連続して示されている２つのブロックが実際には実質的に同時に実行されてもよく、あるいはブロックが逆の順序で実行されてもよい。図のいくつかは、通信の主方向を示すために通信経路上に矢印を含むが、通信は、描かれた矢印と反対方向に起こり得ることを理解されたい。
【０１７９】
本明細書に記載の概念の動作を実行するためのコンピュータプログラムコードは、Ｊａｖａ（登録商標）又はＣ＋＋等のオブジェクト指向プログラミング言語で書くことができる。しかしながら、本開示の動作を実行するためのコンピュータプログラムコードは、"Ｃ"プログラミング言語等の従来の手続き型プログラミング言語で書かれてもよい。プログラムコードは、完全にユーザのコンピュータ上、部分的にユーザのコンピュータ上、単独のソフトウェアパッケージとして、部分的にユーザのコンピュータ上、そして部分的に遠隔コンピュータ上で、又は全体的に遠隔コンピュータ上で実行することができる。後者のシナリオでは、遠隔コンピュータは、ローカルエリアネットワーク（ＬＡＮ）又はワイドエリアネットワーク（ＷＡＮ）を介してユーザのコンピュータに接続することができ、又は（例えば、インターネットサービスプロバイダの使用によるインターネットを介して）接続することができる。
【０１８０】
上記の説明及び図面に関連して、多くの異なる実施形態が本明細書に開示されている。これらの実施形態のあらゆる組み合わせ及び部分的な組み合わせを文字通りに説明及び例示することは、過度に反復的で分かりにくくなることが理解されよう。したがって、総ての実施形態は任意の方法及び／又は組み合わせで組み合わせることができ、図面を含む本明細書は、本明細書に記載の実施形態の総ての組み合わせ及びサブコンビネーションならびに方法及びプロセスの完全な書面による説明を構成すると解釈され、そしてそれらを作成し使用することの可能性があり、そのような組み合わせ又はサブコンビネーションに対する主張を裏付けるものとする。
【０１８１】
本明細書に記載の実施形態は、本明細書の上記に特に示され記載されたものに限定されないことが当業者によって理解されるであろう。さらに、そうでないことが上記で言及されていない限り、添付の図面のすべてが一定の縮尺ではないことに留意されたい。添付の特許請求の範囲から逸脱することなく、上記の教示に照らして様々な修正形態及び変形形態が可能である。
【図１】
2022501937.tif 000020
【図２】
2022501937.tif 000021
【図３】
2022501937.tif 000022
【図４】
2022501937.tif 000023
【図５】
2022501937.tif 000024
【図６】
2022501937.tif 000025
【図７】
2022501937.tif 000026
【図８】
2022501937.tif 000027
【図９】
2022501937.tif 000028
【図１０】
2022501937.tif 000029
【図１１】
2022501937.tif 000030
【図１２】
2022501937.tif 000031
【図１３】
2022501937.tif 000032
【図１４】
2022501937.tif 000033
【図１５】
2022501937.tif 000034
【図１６】
2022501937.tif 000035
【図１７】
2022501937.tif 000036
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
遠隔干渉識別のためのネットワークノード（１６ａ）であって、
少なくとも１つの参照信号（ＲＳ）シーケンス及び少なくとも１つの時間機会に少なくとも部分的に基づいて、少なくとも１つのＲＳの送信を生じさせる様に構成された処理回路（３８）を備え、
前記ネットワークノード（１６ａ）の識別子は、前記少なくとも１つのＲＳシーケンス及び前記少なくとも１つの時間機会にマッピングされている、ネットワークノード。
【請求項２】
請求項１に記載のネットワークノード（１６ａ）であって、
前記ネットワークノード（１６ａ）は、別のネットワークノード（１６ｂ）のダウンリンク送信から干渉を受ける被害ネットワークノード（１６ａ）である、ネットワークノード。
【請求項３】
請求項１又は２に記載のネットワークノード（１６ａ）であって、
前記識別子は、前記少なくとも１つのＲＳシーケンス及び前記少なくとも１つの時間機会から識別可能である、ネットワークノード。
【請求項４】
請求項１から３のいずれか１項に記載のネットワークノード（１６ａ）であって、
前記処理回路（３８）は、別のネットワークノード（１６ｂ）からの遠隔干渉を検出する様にさらに構成され、前記少なくとも１つの参照信号の送信は、前記検出された遠隔干渉の応答である、ネットワークノード。
【請求項５】
請求項４に記載のネットワークノード（１６ａ）であって、
前記処理回路（３８）は、前記少なくとも１つのＲＳの送信後、
遠隔干渉が依然検出されているかを判定し、
遠隔干渉が依然検出されていると判定した場合、前記少なくとも１つのＲＳの少なくとも１つの追加の送信を生じさせ、
遠隔干渉が検出されていないと判定した場合、前記少なくとも１つのＲＳの送信を停止させる様にさらに構成されている、ネットワークノード。
【請求項６】
請求項１から５のいずれか１項に記載のネットワークノード（１６ａ）であって、
前記少なくとも１つの時間機会は、
前記少なくとも１つのＲＳが送信される無線フレームペアと、
前記少なくとも１つのＲＳの少なくとも１つのための前記無線フレームペア内の異なる時間機会と、
の内の少なくとも１つに対応する、ネットワークノード。
【請求項７】
請求項１から６のいずれか１項に記載のネットワークノード（１６ａ）であって、
前記時間機会は、
ダウンリンク送信とアップリンク送信との切り替えがある少なくとも１つのスロットと、
スロット内の固定時間位置と、
の内の少なくとも１つに対応する、ネットワークノード。
【請求項８】
請求項１から７のいずれか１項に記載のネットワークノード（１６ａ）であって、
前記少なくとも１つのＲＳシーケンスは、同じＲＳシーケンスであり、前記少なくとも１つの時間機会は、複数の時間機会を含む、ネットワークノード。
【請求項９】
第１ネットワークノード（１６ｂ）であって、
少なくとも１つの時間機会の間に、遠隔干渉識別のための少なくとも１つの参照信号（ＲＳ）シーケンスを含む少なくとも１つのＲＳを受信し、
第２ネットワークノード（１６ａ）の識別子を、前記少なくとも１つのＲＳシーケンス及び前記少なくとも１つの時間機会に少なくとも部分的に基づいて判定する様に構成された処理回路（３８）を備え、
前記第２ネットワークノード（１６ａ）の前記識別子は、前記少なくとも１つのＲＳシーケンス及び前記少なくとも１つの時間機会にマッピングされている、第１ネットワークノード。
【請求項１０】
請求項９に記載の第１ネットワークノード（１６ｂ）であって、
前記処理回路（３８）は、前記第２ネットワークノード（１６ａ）の判定した前記識別子に少なくとも部分的に基づいて、少なくとも１つの遠隔干渉緩和アクションを実行する様にさらに構成されている、第１ネットワークノード。
【請求項１１】
請求項１０に記載の第１ネットワークノード（１６ｂ）であって、
前記処理回路（３８）は、前記少なくとも１つの遠隔干渉緩和アクションの実行後、
前記少なくとも１つのＲＳ信号が検出されたかを判定し、
前記少なくとも１つのＲＳ信号が検出されていないと判定した場合、前記遠隔干渉緩和アクションを変更する様にさらに構成されている、第１ネットワークノード。
【請求項１２】
請求項９から１１のいずれか１項に記載の第１ネットワークノード（１６ｂ）であって、
前記第１ネットワークノード（１６ｂ）は、前記第２ネットワークノード（１６ａ）での干渉の原因である攻撃ネットワークノード（１６ｂ）である、第１ネットワークノード。
【請求項１３】
請求項９から１２のいずれか１項に記載の第１ネットワークノード（１６ｂ）であって、
前記識別子は、前記少なくとも１つのＲＳシーケンス及び前記少なくとも１つの時間機会から識別可能である、第１ネットワークノード。
【請求項１４】
請求項９から１３のいずれか１項に記載の第１ネットワークノード（１６ｂ）であって、
前記少なくとも１つの時間機会は、
前記少なくとも１つのＲＳが送信される無線フレームペアと、
前記少なくとも１つのＲＳの少なくとも１つのための前記無線フレームペア内の異なる時間機会と、
の内の少なくとも１つに対応する、第１ネットワークノード。
【請求項１５】
請求項９から１４のいずれか１項に記載の第１ネットワークノード（１６ｂ）であって、
前記時間機会は、
ダウンリンク送信とアップリンク送信との切り替えがある少なくとも１つのスロットと、
スロット内の固定時間位置と、
の内の少なくとも１つに対応する、第１ネットワークノード。
【請求項１６】
請求項９から１５のいずれか１項に記載の第１ネットワークノード（１６ｂ）であって、
前記少なくとも１つのＲＳシーケンスは、同じＲＳシーケンスであり、
前記少なくとも１つの時間機会は、複数の時間機会を含む、第１ネットワークノード。
【請求項１７】
遠隔干渉識別のためにネットワークノード（１６ａ）で実行される方法であって、
少なくとも１つの参照信号（ＲＳ）シーケンス及び少なくとも１つの時間機会に少なくとも部分的に基づいて、少なくとも１つのＲＳの送信を生じさせる（Ｓ１１０）ことを含み、
前記ネットワークノード（１６ａ）の識別子は、前記少なくとも１つのＲＳシーケンス及び前記少なくとも１つの時間機会にマッピングされている、方法。
【請求項１８】
請求項１７に記載の方法であって、
前記少なくとも１つのＲＳシーケンスは、同じＲＳシーケンスであり、
前記少なくとも１つの時間機会は、複数の時間機会を含む、方法。
【請求項１９】
第１ネットワークノード（１６ｂ）によって実行される方法であって、
少なくとも１つの時間機会の間に、遠隔干渉識別のための少なくとも１つの参照信号（ＲＳ）シーケンスを含む少なくとも１つのＲＳを受信（Ｓ１１８）することと、
第２ネットワークノード（１６ａ）の識別子を、前記少なくとも１つのＲＳシーケンス及び前記少なくとも１つの時間機会に少なくとも部分的に基づいて判定（Ｓ２１０）することと、
を含み、
前記第２ネットワークノード（１６ａ）の前記識別子は、前記少なくとも１つのＲＳシーケンス及び前記少なくとも１つの時間機会にマッピングされている、方法。
【請求項２０】
請求項１９に記載の方法であって、
前記少なくとも１つのＲＳシーケンスは、同じＲＳシーケンスであり、
前記少なくとも１つの時間機会は、複数の時間機会を含む、方法。
【国際調査報告】
2022501937.tif 000037
2022501937.tif 000038